(57)【要約】  複数のセル内の或るセルの無線パラメータを変更する際に、他のセルにおいて無線パラメータが変更されることによりこの或るセルの変更後の無線パラメータが不適切なものとなってしまうことを避ける。セル・グループに対する無線パラメータを制御する無線パラメータ制御装置が、前記セル・グループ内の１つ以上の制御対象セルに含まれる各着目セルについて、前記セル・グループ内の他のセルの無線パラメータの値に対する制御による影響を考慮しつつ、該着目セルの無線パラメータの変更による、前記セル・グループでの通信特性の変化を予測する。予測に基づき、前記セル・グループ内の１つ以上の前記制御対象セルの無線パラメータの値を制御する
2014103434.tif 000002
【特許請求の範囲】
【請求項１】
セル・グループに対する無線パラメータを制御する無線パラメータ制御装置であって、
前記セル・グループ内の１つ以上の制御対象セルに含まれる各着目セルについて、前記セル・グループ内の他のセルの無線パラメータの値に対する制御による影響を考慮しつつ、該着目セルの無線パラメータの変更による、前記セル・グループでの通信特性の変化を予測する予測手段と、
前記予測手段による予測に基づき、前記セル・グループ内の１つ以上の前記制御対象セルの無線パラメータの値を制御する制御手段と、
を備えることを特徴とする無線パラメータ制御装置。
【請求項２】
請求項１に記載の無線パラメータ制御装置であって、
前記予測手段は、複数の前記着目セルについての前記予測をし、
前記制御手段は、前記予測手段による複数の前記着目セルについての前記予測に基づき、前記複数の着目セルの無線パラメータの値を制御することを特徴とする無線パラメータ制御装置。
【請求項３】
請求項１又は２に記載の無線パラメータ制御装置であって、
前記予測手段は、複数の前記着目セルに対する無線パラメータの値の変更候補の所定の範囲の全ての組み合わせに対して、前記セル・グループでの通信特性の変化を予測し、
前記制御手段は、前記通信特性を最良とする無線パラメータの値の変更候補を変更後の無線パラメータの値として決定することを特徴とする無線パラメータ制御装置。
【請求項４】
請求項１に記載の無線パラメータ制御装置であって、
前記予測手段は、複数の前記着目セルを１つずつ順々に着目し、順々に着目した着目セルの無線パラメータの変更による、前記セル・グループでの通信特性の変化を予測し、
前記制御手段は、順々に着目した着目セルの無線パラメータの値を前記予測に基づいて決定し、
前記予測手段は、現在着目している着目セルの無線パラメータの変化による通信特性の変化を予測する際には、前記制御手段により無線パラメータが既に決定されているセルについては、その決定されている無線パラメータの値を用いることを特徴とする無線パラメータ制御装置。
【請求項５】
請求項１に記載の無線パラメータ制御装置であって、
前記予測手段は、複数の前記着目セルを１つずつ順々に着目し、順々に着目した着目セルの無線パラメータの変更による、前記セル・グループでの通信特性の変化を予測し、
前記制御手段は、順々に着目した着目セルの無線パラメータの値を前記予測に基づいて仮決定し、
前記予測手段は、現在着目している着目セルの無線パラメータの変化による通信特性の変化を予測する際には、前記制御手段により無線パラメータが既に仮決定されているセルについては、その決定されている無線パラメータの値を用い、
所定の条件が満たされるまで、前記予測と該予測に基づく前記仮決定とを繰り返し、繰り返し終了時に仮決定されている無線パラメータを変更後の無線パラメータとして決定することを特徴とする無線パラメータ制御装置。
【請求項６】
請求項１又は２に記載の無線パラメータ制御装置であって、
前記予測手段は、複数の方法で、複数の前記着目セルに着目し、前記複数の方法にそれぞれ対応する複数の通信特性の変化を予測し、
前記制御手段は、前記予測手段による、前記複数の方法にそれぞれ対応する複数の通信特性の変化に基づき、前記複数の着目セルの無線パラメータの値を制御することを特徴とする無線パラメータ制御装置。
【請求項７】
請求項１乃至６の何れか１項に記載の無線パラメータ制御装置であって、
制御により決定された無線パラメータを、対応する無線基地局に同時に設定する手段を更に備えることを特徴とする無線パラメータ制御装置。
【請求項８】
請求項１に記載の無線パラメータ制御装置であって、
前記予測手段は、１つの前記着目セルについての前記予測をし、
前記制御手段は、前記予測手段による予測に基づき、前記１つの着目セルの無線パラメータの値を仮決定し、
当該無線パラメータ制御装置は、
前記制御手段により値が仮決定された無線パラメータを、対応する無線基地局に設定する設定手段と、
前記設定手段により無線パラメータが設定された後の無線品質情報及び／又は通信品質情報を測定する測定手段と、
を更に備え、
前記予測手段と前記制御手段と前記設定手段と前記測定手段とは繰り返し動作し、各繰り返しにおいて、前記予測手段は、前回の繰り返しで前記測定手段により測定された無線品質情報及び／又は通信品質情報を用いて前記通信特性の変化を予測することを特徴とする無線パラメータ制御装置。
【請求項９】
請求項１乃至８の何れか１項に記載の無線パラメータ制御装置であって、
前記通信特性は、トラフィック負荷、リソース利用率、実効的なスケジューリングユーザ数、ユーザスループット、セルスループット、受信品質(ＲＳＲＰ，ＲＳＲＱ，ＳＩＮＲ)の少なくとも１つを含むことを特徴とする無線パラメータ制御装置。
【請求項１０】
セル・グループに対する無線パラメータを制御する無線パラメータ制御方法であって、
前記セル・グループ内の１つ以上の制御対象セルに含まれる各着目セルについて、前記セル・グループ内の他のセルの無線パラメータの値に対する制御による影響を考慮しつつ、該着目セルの無線パラメータの変更による、前記セル・グループでの通信特性の変化を予測する予測ステップと、
前記予測ステップによる予測に基づき、前記セル・グループ内の１つ以上の前記制御対象セルの無線パラメータの値を制御する制御ステップと、
を備えることを特徴とする無線パラメータ制御方法。
【請求項１１】
請求項１０に記載の無線パラメータ制御方法であって、
前記予測ステップでは、複数の前記着目セルについての前記予測をし、
前記制御ステップでは、前記予測ステップによる複数の前記着目セルについての前記予測に基づき、前記複数の着目セルの無線パラメータの値を制御することを特徴とする無線パラメータ制御方法。
【請求項１２】
請求項１０又は１１に記載の無線パラメータ制御方法であって、
前記予測ステップでは、複数の前記着目セルに対する無線パラメータの値の変更候補の所定の範囲の全ての組み合わせに対して、前記セル・グループでの通信特性の変化を予測し、
前記制御ステップでは、前記通信特性を最良とする無線パラメータの値の変更候補を変更後の無線パラメータの値として決定することを特徴とする無線パラメータ制御方法。
【請求項１３】
請求項１０に記載の無線パラメータ制御方法であって、
前記予測ステップでは、複数の前記着目セルを１つずつ順々に着目し、順々に着目した着目セルの無線パラメータの変更による、前記セル・グループでの通信特性の変化を予測し、
前記制御ステップでは、順々に着目した着目セルの無線パラメータの値を前記予測に基づいて決定し、
前記予測ステップでは、現在着目している着目セルの無線パラメータの変化による通信特性の変化を予測する際には、前記制御ステップにより無線パラメータが既に決定されているセルについては、その決定されている無線パラメータの値を用いることを特徴とする無線パラメータ制御方法。
【請求項１４】
請求項１０に記載の無線パラメータ制御方法であって、
前記予測ステップでは、複数の前記着目セルを１つずつ順々に着目し、順々に着目した着目セルの無線パラメータの変更による、前記セル・グループでの通信特性の変化を予測し、
前記制御ステップでは、順々に着目した着目セルの無線パラメータの値を前記予測に基づいて仮決定し、
前記予測ステップでは、現在着目している着目セルの無線パラメータの変化による通信特性の変化を予測する際には、前記制御ステップにより無線パラメータが既に仮決定されているセルについては、その決定されている無線パラメータの値を用い、
所定の条件が満たされるまで、前記予測と該予測に基づく前記仮決定とを繰り返し、繰り返し終了時に仮決定されている無線パラメータを変更後の無線パラメータとして決定することを特徴とする無線パラメータ制御方法。
【請求項１５】
請求項１０又は１１に記載の無線パラメータ制御方法であって、
前記予測ステップでは、複数の方法で、複数の前記着目セルに着目し、前記複数の方法にそれぞれ対応する複数の通信特性の変化を予測し、
前記制御ステップでは、前記予測ステップによる、前記複数の方法にそれぞれ対応する複数の通信特性の変化に基づき、前記複数の着目セルの無線パラメータの値を制御することを特徴とする無線パラメータ制御方法。
【請求項１６】
請求項１０乃至１５の何れか１項に記載の無線パラメータ制御方法であって、
制御により決定された無線パラメータを、対応する無線基地局に同時に設定するステップを更に備えることを特徴とする無線パラメータ制御方法。
【請求項１７】
請求項１０に記載の無線パラメータ制御方法であって、
前記予測ステップでは、１つの前記着目セルについての前記予測をし、
前記制御ステップでは、前記予測ステップによる予測に基づき、前記１つの着目セルの無線パラメータの値を仮決定し、
当該無線パラメータ制御方法は、
前記制御ステップにより値が仮決定された無線パラメータを、対応する無線基地局に設定する設定ステップと、
前記設定ステップにより無線パラメータが設定された後の無線品質情報及び／又は通信品質情報を測定する測定ステップと、
を更に備え、
前記予測ステップと前記制御ステップと前記設定ステップと前記測定ステップとを繰り返し行い、各繰り返しにおいて、前記予測ステップでは、前回の繰り返しで前記測定ステップにより測定された無線品質情報及び／又は通信品質情報を用いて前記通信特性の変化を予測することを特徴とする無線パラメータ制御方法。
【請求項１８】
請求項１０乃至１７の何れか１項に記載の無線パラメータ制御方法であって、
前記通信特性は、トラフィック負荷、リソース利用率、実効的なスケジューリングユーザ数、ユーザスループット、セルスループット、受信品質(ＲＳＲＰ，ＲＳＲＱ，ＳＩＮＲ)の少なくとも１つを含むことを特徴とする無線パラメータ制御方法。
【請求項１９】
セル・グループに対する無線パラメータを制御する無線パラメータ制御装置としてコンピュータを機能させるための無線パラメータ制御プログラムであって、
前記コンピュータを、
前記セル・グループ内の１つ以上の制御対象セルに含まれる各着目セルについて、前記セル・グループ内の他のセルの無線パラメータの値に対する制御による影響を考慮しつつ、該着目セルの無線パラメータの変更による、前記セル・グループでの通信特性の変化を予測する予測手段と、
前記予測手段による予測に基づき、前記セル・グループ内の１つ以上の前記制御対象セルの無線パラメータの値を制御する制御手段と、
を備える無線パラメータ制御装置として機能させることを特徴とする無線パラメータ制御プログラム。
【請求項２０】
請求項１９に記載の無線パラメータ制御プログラムであって、
前記予測手段は、複数の前記着目セルについての前記予測をし、
前記制御手段は、前記予測手段による複数の前記着目セルについての前記予測に基づき、前記複数の着目セルの無線パラメータの値を制御する無線パラメータ制御装置として更に前記コンピュータを機能させることを特徴とする無線パラメータ制御プログラム。
【請求項２１】
請求項１９又は２０に記載の無線パラメータ制御プログラムであって、
前記予測手段は、複数の前記着目セルに対する無線パラメータの値の変更候補の所定の範囲の全ての組み合わせに対して、前記セル・グループでの通信特性の変化を予測し、
前記制御手段は、前記通信特性を最良とする無線パラメータの値の変更候補を変更後の無線パラメータの値として決定する無線パラメータ制御装置として更に前記コンピュータを機能させることを特徴とする無線パラメータ制御プログラム。
【請求項２２】
請求項１９に記載の無線パラメータ制御プログラムであって、
前記予測手段は、複数の前記着目セルを１つずつ順々に着目し、順々に着目した着目セルの無線パラメータの変更による、前記セル・グループでの通信特性の変化を予測し、
前記制御手段は、順々に着目した着目セルの無線パラメータの値を前記予測に基づいて決定し、
前記予測手段は、現在着目している着目セルの無線パラメータの変化による通信特性の変化を予測する際には、前記制御手段により無線パラメータが既に決定されているセルについては、その決定されている無線パラメータの値を用いる無線パラメータ制御装置として更に前記コンピュータを機能させることを特徴とする無線パラメータ制御プログラム。
【請求項２３】
請求項１９に記載の無線パラメータ制御プログラムであって、
前記予測手段は、複数の前記着目セルを１つずつ順々に着目し、順々に着目した着目セルの無線パラメータの変更による、前記セル・グループでの通信特性の変化を予測し、
前記制御手段は、順々に着目した着目セルの無線パラメータの値を前記予測に基づいて仮決定し、
前記予測手段は、現在着目している着目セルの無線パラメータの変化による通信特性の変化を予測する際には、前記制御手段により無線パラメータが既に仮決定されているセルについては、その決定されている無線パラメータの値を用い、
所定の条件が満たされるまで、前記予測と該予測に基づく前記仮決定とを繰り返し、繰り返し終了時に仮決定されている無線パラメータを変更後の無線パラメータとして決定する無線パラメータ制御装置として更に前記コンピュータを機能させることを特徴とする無線パラメータ制御プログラム。
【請求項２４】
請求項１９又は２０に記載の無線パラメータ制御プログラムであって、
前記予測手段は、複数の方法で、複数の前記着目セルに着目し、前記複数の方法にそれぞれ対応する複数の通信特性の変化を予測し、
前記制御手段は、前記予測手段による、前記複数の方法にそれぞれ対応する複数の通信特性の変化に基づき、前記複数の着目セルの無線パラメータの値を制御する無線パラメータ制御装置として更に前記コンピュータを機能させることを特徴とする無線パラメータ制御プログラム。
【請求項２５】
請求項１９乃至２４の何れか１項に記載の無線パラメータ制御プログラムであって、
制御により決定された無線パラメータを、対応する無線基地局に同時に設定する手段を更に備える無線パラメータ制御装置として更に前記コンピュータを機能させることを特徴とする無線パラメータ制御プログラム。
【請求項２６】
請求項１９に記載の無線パラメータ制御プログラムであって、
前記予測手段は、１つの前記着目セルについての前記予測をし、
前記制御手段は、前記予測手段による予測に基づき、前記１つの着目セルの無線パラメータの値を仮決定し、
前記無線パラメータ制御装置は、
前記制御手段により値が仮決定された無線パラメータを、対応する無線基地局に設定する設定手段と、
前記設定手段により無線パラメータが設定された後の無線品質情報及び／又は通信品質情報を測定する測定手段と、
を更に備え、
前記予測手段と前記制御手段と前記設定手段と前記測定手段とは繰り返し動作し、各繰り返しにおいて、前記予測手段は、前回の繰り返しで前記測定手段により測定された無線品質情報及び／又は通信品質情報を用いて前記通信特性の変化を予測する無線パラメータ制御装置として更に前記コンピュータを機能させることを特徴とする無線パラメータ制御プログラム。
【請求項２７】
請求項１９乃至２６の何れか１項に記載の無線パラメータ制御プログラムであって、
前記通信特性は、トラフィック負荷、リソース利用率、実効的なスケジューリングユーザ数、ユーザスループット、セルスループット、受信品質(ＲＳＲＰ，ＲＳＲＱ，ＳＩＮＲ)の少なくとも１つを含む無線パラメータ制御装置として更に前記コンピュータを機能させることを特徴とする無線パラメータ制御プログラム。
【請求項２８】
端末と無線通信を行う基地局と、前記基地局と接続された無線パラメータ制御装置と、を備えた無線パラメータ制御システムであって、
前記基地局は、
前記端末との通信に基づいて測定した無線通信に関する品質を前記基地局に報告する報告手段と、
前記無線パラメータ制御装置の変更値の指示に応じて基地局配下のセルについての無線パラメータを変更する変更手段と、を備え、
前記無線パラメータ制御装置は請求項１乃至９の何れか１項に記載の無線パラメータ制御装置であって、前記報告手段による報告内容に基づいて前記予測手段及び前記制御手段を動作させると共に、前記制御手段により決定された無線パラメータの変更値に基づいて無線パラメータを変更するように前記基地局に指示を出す、
ことを特徴とする無線パラメータ制御システム。
【請求項２９】
端末と無線通信を行う基地局と、前記基地局と接続された無線パラメータ制御装置と、を備えたシステムが行う無線パラメータ制御方法であって、
前記基地局が、前記端末との通信に基づいて測定した無線通信に関する品質を前記基地局に報告する報告ステップと、
前記無線パラメータ制御装置が請求項１０乃至１８の何れか１項に記載の無線パラメータ制御方法を行う装置であって、前記報告ステップによる報告内容に基づいて前記予測ステップ及び前記制御ステップを行うと共に、前記制御ステップにより決定された無線パラメータの変更値に基づいて無線パラメータを変更するように前記基地局に指示を出すステップと、
前記基地局が、前記無線パラメータ制御装置の変更値の指示に応じて基地局配下のセルについての無線パラメータを変更する変更ステップと、
を有することを特徴とする無線パラメータ制御方法。
【発明の詳細な説明】
【技術分野】
【０００１】
本発明は、無線通信網における無線パラメータを制御する為の、無線パラメータ制御装置、無線パラメータ制御システム、無線パラメータ制御方法及びそのプログラムに関する。
【背景技術】
【０００２】
携帯電話網に代表されるようなセルラ方式(cellular communication system)に準拠した無線通信網は、複数の基地局を分散して配置することによって、広域なサービスエリアを構成する。そして、これら複数の基地局のそれぞれは、基地局自身と携帯電話機等の無線端末とが通信可能な範囲である「セル」を形成及び管理する。また、通常は１つの基地局によって、１つ〜６つ程度のセルが形成及び管理される。【０００３】
また、これらの基地局の設置時や運用中には、通信不能なエリア（Coverage hole）を削減し、更には無線端末（ＵＥ：User Equipment、以下、無線端末のことを適宜「ＵＥ」と呼ぶ。）の無線品質や通信品質を改善することを目的として、セルの無線パラメータの最適化が行われる。なお、ここで、無線品質を表す具体的な指標としては、例えばスループット、呼の異常切断率及びハンドオーバ失敗率等が挙げられる。また、通信品質を表す具体的な指標としては、例えば、受信電力や、信号対干渉比等が挙げられる。【０００４】
そして、無線パラメータ最適化を行う場合、一般的には現地にて専用の測定器を用いた走行試験を実施し、電波の受信電力や干渉状況、呼の異常切断やハンドオーバ失敗の発生有無、スループット等を実際に測定する。【０００５】
次に、測定結果に基づいて受信電力が不十分な場所（Weak coverage）や、強い干渉を受けている場所（Pilot pollution）などを特定すると共に、これらの場所での問題を解消するための無線パラメータの調整を行う。ここで、調整対象とされる無線パラメータとしては、例えば、セルのアンテナチルト角、アンテナ方位角、送信電力、ハンドオーバパラメータ等が一般的である。また、これらの無線パラメータの調整は、通常は人手により実行される。【０００６】
上述したような走行試験に基づくセルの無線パラメータの最適化は、人手による測定ならびにチューニング作業を伴うため、無線通信網の運用コストの増加の一因となっている。【０００７】
そこで、こうした無線パラメータの最適化にかかるコストを削減するために、セルの無線パラメータを基地局等が自律的に最適化する技術の開発及び標準化が進められている。例えば、３ＧＰＰ（3rd Generation Partnership Project）において標準化が進められているＳＯＮ（Self Organizing Network）などがその一例である。【０００８】
このような技術の具体例の１つが「移動通信システムで使用される基地局装置、ユーザ装置及び方法」として特許文献１に記載されている。【０００９】
特許文献１に記載の技術では、既設の又は新設予定の基地局の無線パラメータの適正化を図るために、特定地域における電波伝搬状況を簡易に測定することを課題としている。そして、特許文献１ではこの課題を解決するために１以上のユーザ装置（例えば携帯電話機）から受信したレポート信号の報告内容を解析することで、基地局の無線パラメータを調整する。なお、報告内容の解析は、基地局装置で行われてもよいし、基地局よりも上位のノード（例えば、ＭＭＥ／ＵＰＥ（Mobile Management Entity/User Plane Entity）等）で行われてもよい。【００１０】
このようにして特許文献１に記載の技術では、ユーザ装置及び基地局等が連携することにより、人手による現地での測定をすることなく、基地局の無線パラメータを調整している。【００１１】
また、このように自律的に無線パラメータを調整する為の技術の具体例のもう１つが、「負荷分散のためのセルの無線パラメータの最適化方法」として特許文献２に開示されている。【００１２】
特許文献２に開示された方法では、まず或るセル（セルＡとする）のトラフィック負荷を測定する。そして、このセルＡのトラフィック負荷が所定の値よりも高い時には、セルＡの周辺に存在するトラフィック負荷の低いセルのうち、セルＡとの重なりの範囲が大きいセル（セルＢとする）を選択する。【００１３】
そして、セルＢのカバレッジを拡大するとともに、セルＡのカバレッジを縮小する。他方、セルＡのトラフィック負荷が低い時には、セルＢのカバレッジを縮小するとともに、セルＡのカバレッジを拡大する。以上の制御を、全てのセル間について順次実行する。【００１４】
特許文献２にて開示されている技術では、このような動作を行うことにより、各セルの無線パラメータを調整し、各セル間において負荷分散を図ることとしている。
【先行技術文献】
【特許文献】
【００１５】
【特許文献１】特開２００８−１７２３８０号公報
【特許文献２】国際公開第２０００／０７２６１８号パンフレット
【発明の概要】
【発明が解決しようとする課題】
【００１６】
上述したような特許文献１及び特許文献２等に記載の技術を用いることにより、人手を要さない、システム内での自律的な無線パラメータの調整について一定程度の効果が望める。【００１７】
しかしながら、特許文献１及び特許文献２に記載の技術をはじめとした一般的な方法では、或るセルに関しての無線パラメータを決定する際に、この或るセル以外の他のセルの無線パラメータの変更によって生じる通信環境の変化を考慮していない、という問題があった。例えば、特許文献２に記載の技術であればセルＡの無線パラメータの調整の際にセルＢとの関係を考慮はしているが、その後セルＢの無線パラメータも調整されるということは一切考慮していない。つまり、セルＡにおいて調整を行う時点で考慮したセルＢの無線パラメータは、後にセルＢにおいて調整を行う時点で変更されるものであるということを考慮していない。【００１８】
そしてこのように、他のセルの無線パラメータの変更によって生じる通信環境の変化を考慮せずに、それぞれのセル毎に独立に無線パラメータが決定されていたため、セルの無線パラメータが不適切な値に決定され、無線パラメータの変更によって通信品質の劣化が生じるという問題が生じていた。【００１９】
より具体的に説明すると、これらの一般的な方法では他のセルの無線パラメータの変更によって通信環境が変化した後であっても、或いは、近い将来に無線パラメータの変更によって通信環境が変化することが確実である場合であっても、通信環境の変化前の測定情報を含む測定情報を用いて無線パラメータが決定される。その結果、セルの無線パラメータが不適切な値に決定され、無線パラメータの変更によって通信特性の劣化が生じる可能性がある。【００２０】
上述した問題について図１２及び図１３に表される具体例を参照して説明する。【００２１】
なお、以下の説明では、例えば半径数百ｍから十数ｋｍの通話エリアを提供する比較的通話エリアの広いセルのことを「マクロセル」と呼ぶ。一方で、マクロセルと比較すると比較的通話エリアの狭いセルのことを「ピコセル」と呼ぶ。なお、一般的にピコセルは、地下やビルの奥等のマクロセルだけではカバーしきれない電波強度が微弱となりやすい場所に設けられる。【００２２】
図１２に表されるように、本説明例における無線通信網は、基地局１０００、小型基地局２０００及び小型基地局３０００を含んでいる。更に本説明例では各基地局が管理するセルとして、マクロセル１００１、ピコセル２００１及びピコセル３００１を含んでいる。【００２３】
ここでは、マクロセル１００１はトラフィック負荷等が低負荷な状況であり、ピコセル２００１とピコセル３００１とは、ともにトラフィック負荷等が高負荷な状況であると仮定する。【００２４】
このような状況下で特許文献２に開示された方法を適用した場合、ピコセル２００１とピコセル３００１は、お互いの無線パラメータの変更によって生じる通信環境の変化を考慮せずに負荷分散を実行する。例えば、図１３に表されるように、小型基地局２０００及び小型基地局３０００は、ピコセル２００１やピコセル３００１に関して送信電力を減少させることにより、それぞれのセルのカバレッジを縮小する。縮小後のセルはピコセル２００２とピコセル３００２として表されている。【００２５】
このように２つのピコセルが同時に負荷分散を実行した結果、マクロセル１００１の負荷が急増し、マクロセル１００１内の通信特性が劣化してしまう。【００２６】
もっとも、上述したように、一般的な技術では負荷分散実行後のマクロセル１００１の負荷に関しては一切考慮しておらず、考慮するとしても負荷分散実行前のマクロセル１００１の負荷のみであった。そのため、このような問題の発生を未然に防ぐことはできなかった。【００２７】
そこで、本発明は、複数のセル内の或るセルの無線パラメータを変更する際に、他のセルにおいて無線パラメータが変更されることによりこの或るセルの変更後の無線パラメータが不適切なものとなってしまうことを避けることが可能な、無線パラメータ制御装置、無線パラメータ制御装置システム、無線パラメータ制御方法及びそのプログラムを提供することを目的とする。
【課題を解決するための手段】
【００２８】
本発明の第１の観点によれば、セル・グループに対する無線パラメータを制御する無線パラメータ制御装置であって、前記セル・グループ内の１つ以上の制御対象セルに含まれる各着目セルについて、前記セル・グループ内の他のセルの無線パラメータの値に対する制御による影響を考慮しつつ、該着目セルの無線パラメータの変更による、前記セル・グループでの通信特性の変化を予測する予測手段と、前記予測手段による予測に基づき、前記セル・グループ内の１つ以上の前記制御対象セルの無線パラメータの値を制御する制御手段と、を備えることを特徴とする無線パラメータ制御装置が提供される。【００２９】
本発明の第２の観点によれば、セル・グループに対する無線パラメータを制御する無線パラメータ制御方法であって、前記セル・グループ内の１つ以上の制御対象セルに含まれる各着目セルについて、前記セル・グループ内の他のセルの無線パラメータの値に対する制御による影響を考慮しつつ、該着目セルの無線パラメータの変更による、前記セル・グループでの通信特性の変化を予測する予測ステップと、前記予測ステップによる予測に基づき、前記セル・グループ内の１つ以上の前記制御対象セルの無線パラメータの値を制御する制御ステップと、を備えることを特徴とする無線パラメータ制御方法が提供される。【００３０】
本発明の第３の観点によれば、セル・グループに対する無線パラメータを制御する無線パラメータ制御装置としてコンピュータを機能させるための無線パラメータ制御プログラムであって、前記コンピュータを、前記セル・グループ内の１つ以上の制御対象セルに含まれる各着目セルについて、前記セル・グループ内の他のセルの無線パラメータの値に対する制御による影響を考慮しつつ、該着目セルの無線パラメータの変更による、前記セル・グループでの通信特性の変化を予測する予測手段と、前記予測手段による予測に基づき、前記セル・グループ内の１つ以上の前記制御対象セルの無線パラメータの値を制御する制御手段と、を備える無線パラメータ制御装置として機能させることを特徴とする無線パラメータ制御プログラムが提供される。【００３１】
本発明の第４の観点によれば、端末と無線通信を行う基地局と、前記基地局と接続された無線パラメータ制御装置と、を備えた無線パラメータ制御システムであって、前記基地局は、前記端末との通信に基づいて測定した無線通信に関する品質を前記基地局に報告する報告手段と、前記無線パラメータ制御装置の変更値の指示に応じて基地局配下のセルについての無線パラメータを変更する変更手段と、を備え、前記無線パラメータ制御装置は請求項１乃至９の何れか１項に記載の無線パラメータ制御装置であって、前記報告手段による報告内容に基づいて前記予測手段及び前記制御手段を動作させると共に、前記制御手段により決定された無線パラメータの変更値に基づいて無線パラメータを変更するように前記基地局に指示を出す、ことを特徴とする無線パラメータ制御システムが提供される。【００３２】
本発明の第５の観点によれば、端末と無線通信を行う基地局と、前記基地局と接続された無線パラメータ制御装置と、を備えたシステムが行う無線パラメータ制御方法であって、前記基地局が、前記端末との通信に基づいて測定した無線通信に関する品質を前記基地局に報告する報告ステップと、前記無線パラメータ制御装置が請求項１０乃至１８の何れか１項に記載の無線パラメータ制御方法を行う装置であって、前記報告ステップによる報告内容に基づいて前記予測ステップ及び前記制御ステップを行うと共に、前記制御ステップにより決定された無線パラメータの変更値に基づいて無線パラメータを変更するように前記基地局に指示を出すステップと、前記基地局が、前記無線パラメータ制御装置の変更値の指示に応じて基地局配下のセルについての無線パラメータを変更する変更ステップと、を有することを特徴とする無線パラメータ制御方法が提供される。
【発明の効果】
【００３３】
本発明によれば、複数のセル内の或るセルの無線パラメータを変更する際に、他のセルにおいて無線パラメータが変更されることによりこの或るセルの変更後の無線パラメータが不適切なものとなってしまうことを避けることが可能となる。
【図面の簡単な説明】
【００３４】
【図１】本発明の実施形態１及び実施形態２にかかる無線通信システムの基本的構成を表すブロック図である。
【図２】本発明の実施形態１及び実施形態２を適用した無線パラメータ制御装置、基地局及びＵＥの基本的構成を表すブロック図である。
【図３】本発明の実施形態１及び実施形態２を適用した無線パラメータの制御を行うフローを表すフローチャートである。
【図４】本発明の実施形態１を適用した無線パラメータの制御を行うフローを表すフローチャートである。
【図５】本発明の実施形態１における実施例１のセル構成を表すブロック図である。
【図６】本発明の実施形態１における実施例１の通信特性予測方法を表すマトリックス図である。
【図７】本発明の実施形態１における実施例２の通信特性予測方法を表すマトリックス図である。
【図８】本発明の実施形態１における実施例３の通信特性予測方法を表すマトリックス図である。
【図９】本発明の実施形態１における実施例４の通信特性予測方法を表すマトリックス図である。
【図１０】本発明の実施形態２を適用した無線パラメータの制御を行うフローを表すフローチャートである。
【図１１】本発明の実施形態２における実施例５の通信特性予測方法を表すマトリックス図である。
【図１２】本発明が解決しようとする課題を説明する図（１／２）である。
【図１３】本発明が解決しようとする課題を説明する図（２／２）である。
【発明を実施するための形態】
【００３５】
次に、図面を参照して本発明の実施形態について詳細に説明する。本発明は少なくとも実施形態１及び実施形態２の２つの実施形態により実現可能である。この点、実施形態１及び実施形態２の構成要素等は共通する部分が多いので今回の説明においては、これら共通する部分に関しての説明をまず行い、その後、実施形態１及び実施形態２それぞれの特有の動作について個別に説明を行う。
【００３６】
また、以下で参照される各図面において、同一の要素、実質的に同一の要素及び対応する要素には同一の符号が付される。また、以下の説明においては必要に応じて重複する説明は省略される。更に、下述する実施形態は、本発明の好適な実施形態ではあるが、下述する実施形態のみに本発明の範囲を限定するものではなく、本発明の要旨を逸脱しない範囲において種々の変更を施した形態での実施が可能である。
【００３７】
まず、図１を参照すると本発明の実施形態１及び実施形態２に共通する構成である、無線通信システムの構成例が表されている。そして、本無線通信システムは、無線パラメータ制御装置１０と、複数の基地局２０とを含んでいる。
【００３８】
複数の基地局２０は、各々が配下のセル３０を形成及び管理している。また、セル３０内には複数のＵＥ４０が存在し、基地局２０は配下のセル３０の範囲内に含まれるＵＥ４０との間で双方向の無線通信を行う。ここで、どのような無線通信方式に準拠するかということは本実施形態の要旨ではなく、所定の無線通信方式に準拠して無線通信を実現することが可能である。
【００３９】
各基地局２０は、上位ネットワーク（図示を省略する）に接続されている。そして、各基地局２０は、ＵＥ４０と上位ネットワークとの間でトラフィックを中継する。
【００４０】
上位ネットワークは、無線アクセスネットワーク及び、コアネットワークを含む。なお、基地局２０には、セル３０の無線信号を中継するリレー基地局を含む。
【００４１】
更に、背景技術の欄において述べたように、各基地局２０はそれぞれが２つ以上のセル３０を管理することもあり得る。もっとも、本実施形態の説明においては、説明を簡略化するために各基地局２０がそれぞれ管理下セル３０を１つのみ有しているものとする。なお、これは説明を簡略化するためのものに過ぎず本実施形態における基地局の管理下のセル数を１つに限定する趣旨ではない。
【００４２】
ＵＥ４０は基地局２０を介して上位ネットワークと無線通信を行う端末であり、通常はユーザに携帯されて利用されるが、据え置きで利用されるＵＥ４０が含まれていても良い。具体的にはＵＥ４０は、例えば携帯電話機や、携帯電話機網を利用してデータ通信を実行する携帯型のパーソナルコンピュータやタブレット型のパーソナルコンピュータにより実現される。
【００４３】
無線パラメータ制御装置１０は、複数の基地局２０から無線品質情報及び通信品質情報を取得し、複数のセル３０についての無線パラメータを決定する。
【００４４】
ここで、複数の基地局２０のそれぞれから取得する通信品質情報とは、それぞれの基地局２０にて測定及び記憶される通信品質情報を少なくとも含む情報である。一方、複数の基地局２０のそれぞれから取得する無線品質情報とは、その基地局２０の配下にある１以上のＵＥ４０が測定した情報であってその１以上のＵＥ４０からその基地局２０へと報告されたＵＥ４０の無線品質情報(ＵＥ測定情報)を少なくとも含む情報である。
【００４５】
ここで、通信品質情報の具体例としては、無線リンクの異常切断率(Radio Link Failure Rate)、呼の異常切断率(Call Drop Rate)、ハンドオーバ失敗率(Handover Failure Rate)、トラフィック負荷、平均ユーザスループット、セルスループットなどが挙げられる。
【００４６】
また、無線品質情報(ＵＥ測定情報)の具体例としては、ＵＥ４０によって測定されたセル３０毎の無線品質、例えば、下りパイロット信号またはリファレンス信号の受信電力、ＳＩＮＲ(Signal to Interference plus Noise Ratio)などの信号対雑音干渉比が挙げられる。
【００４７】
例えばＬＴＥ(Long Term Evolution)に準拠した無線通信を行う場合を例にとると、ＲＳＲＰ(Reference Signal Received Power)やＲＳＲＱ(Reference Signal Received Quality)などが無線品質情報の例として挙げられる。
【００４８】
更に、無線品質情報には、ＵＥ４０毎のスループットやＢＬＥＲ(Block Error Rate)などの通信品質、異常切断やハンドオーバ失敗の発生有無といったイベント情報、ＵＥが無線品質を測定した時刻、測定したセル３０の識別子、ＵＥ４０の識別子などの情報を含んでも良い。
【００４９】
他方、無線パラメータ制御装置１０が決定する無線パラメータとしては、セル毎のアンテナチルト角、アンテナ方位角、送信電力、ＣＩＯ(Cell Individual Offset)などのハンドオーバパラメータなどが含まれる。
【００５０】
なお、これら、通信品質情報、無線品質情報及び無線パラメータの具体例はあくまで例示に過ぎず、これら例示したもの以外のものを通信品質情報、無線品質情報及び無線パラメータに更に含むようにしても良く、これら例示したもの以外のものを通信品質情報、無線品質情報及び無線パラメータとして代替して用いても良い。
【００５１】
続いて、図２のブロック図を参照して本発明の実施形態１及び実施形態２に共通する、無線パラメータ制御装置１０、基地局２０及びＵＥ４０の構成例について説明する。なお、図２に示す基地局２０及びＵＥ４０の本実施形態に関連する構成要素のみを示している。基地局２０は、図示していないが、基地局２０を基地局として機能させるための構成要素を含んでいる。同様に、ＵＥ４０は、図示していないが、ＵＥ４０をＵＥ４０として機能させるための構成要素を含んでいる。
【００５２】
ＵＥ４０は、通信部４１及び無線品質測定部４２を含む。
【００５３】
通信部４１では、基地局が送信するパイロット信号（pilot signal）及び／又はリファレンス信号（reference signal）を受信する。通信部４１で受信した信号は、無線品質測定部４２に入力される。そして、無線品質測定部４２では、パイロット信号及び／又はリファレンス信号に基づいて、測定対象として規定された情報を無線品質情報として測定する。測定された無線品質情報は通信部４１を介して、基地局２０に送信される。なお、無線品質情報の測定及び送信のタイミングは任意に設定することが可能であり、例えば基地局からの求めに応じて実行されるようにしても良く、所定の周期や所定の時刻に自動的に実行されるようにしても良く、ハンドオーバや電源の投入等を契機として実行されるようにしても良い。
【００５４】
基地局２０は、通信部２１、通信品質測定部２２、品質管理部２３及び無線パラメータ調整部２４を含んでいる。
【００５５】
通信部２１では、ＵＥ４０から送信された無線品質情報を受信し、品質管理部２３に入力する。また、通信部２１は通信品質を測定する為の情報として、通信状況に関する情報を通信品質測定部２２に入力する。通信状況に関する情報は測定対象として規定された通信品質情報によって異なるが、例えば無線リンクや呼の異常切断の有無を示す情報やトラフィック負荷を算出するための情報が含まれる。
【００５６】
通信品質測定部２２は、通信部２１より入力された、通信状況に関する情報に基づいて通信品質を測定し、通信品質を示す通信品質情報を生成する。そして、通信品質情報は品質管理部２３に入力される。通信品質測定部２２の測定タイミングも、無線品質測定部４２同様に任意に設定することが可能である。
【００５７】
品質管理部２３では少なくとも、通信部２１から入力された無線品質情報と、通信品質測定部２２から入力された通信品質情報とが管理されている。無線品質情報及び通信品質情報は、無線パラメータ制御装置１０の品質情報記憶部１１に入力する。
【００５８】
無線パラメータ制御装置１０は、品質情報記憶部１１と、影響セル決定部１２と、通信特性予測部１３と、無線パラメータ決定部１４とを含んでいる。
【００５９】
品質情報記憶部１１は、複数の基地局２０から取得した無線品質情報及び通信品質情報をまとめて記憶する。記憶された無線品質情報及び通信品質情報は、無線パラメータ制御装置１０に含まれる各部より適宜参照され、使用される。各部におけるこれら無線品質情報及び通信品質情報の具体的な使用方法に関しては、各部の説明と共に後述する。
【００６０】
影響セル決定部１２は、品質情報記憶部１１に記憶された無線品質情報及び通信品質情報に基づいて、「影響セル」を決定する。
【００６１】
ここで、影響セルとは、或るセルの無線パラメータを変更することによって、通信特性に一定レベル以上の影響を受けるセルとして定義される。
【００６２】
例えば、或るセルＡの無線パラメータを変更することによって、或るセルＡ以外のセルであるセルＢの通信特性が一定レベル以上の影響を受ける場合、「セルＢはセルＡの影響セル」である。影響セルの決定方法については後述する。また、例えばセルＡの無線パラメータを変更する場合には、当然のことながらセルＡ自身の通信特性は一定レベル以上の影響を受ける。そのため「セルＡはセルＡの影響セル」である。そのため、連携制御時に行う、無線パラメータの変更に伴う通信特性の変化の予測においては、セルＡ自身の通信特性の変化も考慮の対象となる。
【００６３】
更に、影響セル決定部１２は、決定した影響セルを示す影響セル識別情報を通信特性予測部１３に入力する。
【００６４】
通信特性予測部１３では、まず、品質情報記憶部１１に記憶されている無線品質情報及び通信品質情報並びに影響セル決定部１２から入力された影響セル識別情報を使用し、「連携グループ」を決定する。また、「連携グループ」は、１以上のセルより構成されるので、「セル・グループ」ともいう。
【００６５】
ここで、「連携グループ」とは、「連携制御」を行う対象となる複数のセルをグループとしたものとして定義される。
【００６６】
また、「連携制御」とは、連携グループ内の或るセルについての無線パラメータの決定並びに変更を、この連携グループに属する他の１以上のセルの無線パラメータ変更による通信特性の変化を考慮して、行うことを言う。
【００６７】
連携制御の具体例としては、連携グループ内の複数のセルの無線パラメータを同時に（或いは一定期間内に）変更する際に、それぞれのセルについて、連携グループ内の他のセルの無線パラメータ変更を考慮して、連携グループ内の対象セルの無線パラメータを決定するような制御（以降では、「他セル考慮制御」と呼ぶ）が挙げられる。
【００６８】
また、連携制御の他の具体例としては、連携グループ内の或るセルの無線パラメータを変更する（した）際、連携グループ内のその他のセルは一定期間無線パラメータを変更しないような制御（以降では、排他制御と呼ぶ）が挙げられる。
【００６９】
連携グループに属するセルを対象として、上述のような連携制御を行うことによって、無線パラメータの制御による改善効果を大きくすることが可能となる。連携グループの決定方法の一例については後述する。
【００７０】
次に、通信特性予測部１３は、セルの無線パラメータ変更後のセルの通信特性を予測する。具体的には通信特性予測部１３は、品質情報記憶部１１に記憶された無線品質情報及び通信品質情報並びに決定した連携グループの識別情報に基づいて、連携グループ内で、無線パラメータ変更後の各セルの通信特性を予測する。ここで、通信特性の予測方法について１つの具体例を用いて説明する。
【００７１】
本具体例では、品質情報記憶部１１に記憶された無線品質情報として、ＵＥ４０にて測定された無線セル毎の受信電力（ＲＳＲＰ）を用いる。そして、無線パラメータとして制御対象無線セルの送信電力を用いる。すなわち、受信電力（ＲＳＲＰ）に基づいて制御対象無線セルの送信電力の候補値毎のスループットを各ＵＥ４０毎に予測する。
【００７２】
まず、今回スループットの予測対象とするＵＥ４０である「予測対象ＵＥ」が測定した無線品質情報に含まれる、各無線セル毎の受信電力（ＲＳＲＰ［ｄＢｍ］）を、
（ＲＳＲＰｓ、ＲＳＲＰｎ１、ＲＳＲＰｎ２、・・・、ＲＳＲＰｎｉ）
とおく。ここで、ＲＳＲＰｓは、無線パラメータを決定するセルである「制御対象無線セル」のＲＳＲＰを表す。また、ＲＳＲＰｎ１、ＲＳＲＰｎ２、・・・、ＲＳＲＰｎｉは、影響セル１から影響セルｉまでの各影響セルのＲＳＲＰを表す。
【００７３】
まず、制御対象無線セルの送信電力を、現状のＰｒ［ｄＢｍ］から候補値Ｐｃ［ｄＢｍ］に変更したと仮定した場合の無線セル毎のＲＳＲＰを予測する。例えば、制御対象無線セルのＲＳＲＰ（ＲＳＲＰｓ）のみが送信電力の変更量分だけ変化すると仮定して、
（ＲＳＲＰｓ−（Ｐｒ−Ｐｃ）、ＲＳＲＰｎ１、ＲＳＲＰｎ２、・・・、ＲＳＲＰｎｉ）
として予測することができる。なお、他セル考慮制御を行う場合には制御対象無線セルが複数存在することとなるので、これら複数の制御対象無線セル全てについてそれぞれの送信電力の変更量分だけ変化する。
【００７４】
次に、上記予測結果を降順に並べ替え、ＲＳＲＰの単位をデシベル値（ｄＢｍ）から実数値（ｍＷ）に変換した結果を、
（Ｓ１、Ｉ１、Ｉ２、・・・、Ｉｎｉ）
とおく。このとき、Ｓ１に対応する無線セルは、制御対象無線セルの送信電力を変更したと仮定した場合に最もＲＳＲＰが高くなる無線セルであるため、送信電力を変更した場合の「予測対象ＵＥ」の接続先無線セルとみなすことができる。なお、Ｓ１は現在「予測対象ＵＥ」が帰属しているセルと同一のセルになるとは必ずしも限らない。すなわち、「予測対象ＵＥ」は制御対象無線セルの送信電力を変更した場合に同一のセルに帰属したまま留まる場合もあり得るし、他のセルへと帰属先を切り替える場合、すなわちハンドオーバを行う場合もあり得る。
【００７５】
制御対象無線セルの送信電力を候補値Ｐｃ［ｄＢｍ］に変更したと仮定した場合のＳＩＮＲは、
ＳＩＮＲ＝Ｓ１／（Ｉ１＋Ｉ２＋・・・＋Ｉｎｉ＋ＮＯＩＳＥ）
として予測することができる。なお、ＮＯＩＳＥは熱雑音［ｍＷ］を表す。以降の説明のために、上記のＳＩＮＲをデシベル値（ｄＢ）に変換した結果をＳＩＮＲ’とおく。
【００７６】
制御対象無線セルの送信電力を候補値Ｐｃ［ｄＢｍ］に変更したと仮定した場合に予測される「予測対象ＵＥ」の通信品質であるスループット（ＴＰ）は、当業者に良く知られたシャノン式を用いて、
ＴＰ＝Ｂ×ｌｏｇ２（１＋ＳＩＮＲ’）×α
として予測することができる。ここで、Ｂはシステム帯域幅［Ｈｚ］、αは受信機の実装等に依存して生じる理論限界からの劣化量を表す定数である。
【００７７】
このようにして、受信電力（ＲＳＲＰ）に基づいて制御対象無線セルの送信電力の候補値毎の影響セルの通信特性を「予測対象ＵＥ」毎に予測することができる。
【００７８】
そして、本実施形態では影響セルに含まれる全てのＵＥ４０それぞれを「予測対象ＵＥ」として上述のような計算を行い、制御対象無線セルの送信電力を変更した場合の各ＵＥ４０のスループットを予測することができる。
【００７９】
そして、この予測に基づいて様々な指標を算出することが可能となる。例えば影響セルに接続するＵＥ４０における５％スループット（影響セルに接続する全ＵＥ４０のユーザスループットを大きい順に並べた場合に、下位５％に相当するユーザのスループット（例えば、下位５％の順位の位置にいるユーザのスループット、下位５％に含まれる全ユーザの平均のスループットなど））を指標として算出することができる。算出した指標の具体的な利用方法については後述する。
【００８０】
なお、上述の説明においては各ＵＥ４０が最もＲＳＲＰが高くなる無線セルに帰属する場合を想定している。もっとも、各無線セルには同時に接続可能なＵＥ４０の台数制限が課せられていることも考えられる。このような場合には、台数制限を満たすＵＥ４０に関しては上述の方法で算出を行い、台数制限から超過してしまうＵＥ４０については、例えば２番目にＲＳＲＰが高くなる無線セルに帰属するものと想定する。つまり、上述のように「ＳＩＮＲ＝Ｓ１／（Ｉ１＋Ｉ２＋・・・＋Ｉｎｉ＋ＮＯＩＳＥ）」として予測するのではなく、「ＳＩＮＲ＝Ｉ１／（Ｓ１＋Ｉ２＋・・・＋Ｉｎｉ＋ＮＯＩＳＥ）」として予測する。なお、どのＵＥ４０から優先的に最もＲＳＲＰが高くなる無線セルに帰属できるかということは実装環境に応じて所定の条件を定めるようにすれば良い。
【００８１】
更に、通信特性予測部１３は、通信特性の予測結果を、無線パラメータ決定部１４に入力する。
【００８２】
なお、通信特性予測部１３において通信特性の予測を行うに際しては、連携グループに属する各セルが、それぞれマクロセルであるのか、それともピコセルであるのかを区別する必要が生じる場合もある。このような区別が必要となる場合には、例えば、次に説明するように、区別が可能となるような方法を用いる。
【００８３】
例えば、ＰＣＩ(Physical Cell ID)の領域をマクロセルとピコセルで予め分けておく。こうすることにより、通信特性予測部１３はＰＣＩを参照することで、各セルが、マクロセルであるのか、それともピコセルであるのかを区別することが可能となる。
【００８４】
または、無線局のデータとしてセルタイプであるLarge、Medium及びSmallを表す情報があるため、その情報を使用することにより、各セルが、マクロセルであるのか、それともピコセルであるのかを区別することが可能となる。
【００８５】
なお、本実施形態においてはマクロセルやピコセルと呼んでいるがこれは例示に過ぎず、例えばピコセルをナノセルと呼んでも良い。更に、マクロセル及びピコセルのように２つに区分するのではなく更に多くのセルに区分するようにしても良い。
【００８６】
無線パラメータ決定部１４は、品質情報記憶部１１に記憶されている無線品質情報及び通信品質情報並びに通信特性予測部１３から入力された通信特性の予測結果を使用して、それぞれの連携グループ内で、各セルの無線パラメータを決定する。無線パラメータの決定方法については後述する。
【００８７】
続いて、図３のフローチャートを参照して本発明の実施形態１及び実施形態２に係る無線パラメータ制御装置１０による無線パラメータの制御方法について説明する。
【００８８】
まず、ステップＳ１００〜ステップＳ１０３において連携制御の対象となるセル、すなわち連携グループに含まれるセルを決定する。
【００８９】
この例では、連携グループに含まれる候補のセルとして、Ｎ個（Ｎは２以上の整数）のセル３０が存在する。これらの候補セル３０は、無線パラメータ制御装置１０が管理するセル３０の全部であっても良いが一部であっても良い。すなわち、無線パラメータ制御装置１０が管理する複数のセル３０の全部又は一部を候補とし、それから、それらの候補の中から絞り込みを行うことによって連携グループを決定する。
【００９０】
まず、セル３０−１〜セル３０−Ｎについて、各セル３０自身が無線パラメータ制御条件を満たすかを判定する（ステップＳ１００−１〜Ｓ１００−Ｎ）。
【００９１】
この判定には、例えば、セル３０の通信品質情報が用いられる。具体的には、各セル３０の平均スループットやトラフィック負荷、呼の異常切断率などが用いられる。そして、各セル３０における通信品質が予め定められた基準よりも悪化した場合に無線パラメータの制御条件を満たしたと判定する。例えば例示したこれらの基準のうちのトラフィック負荷や呼の異常切断率といった基準であれば値が上がれば上がるほど悪化していることを表す。そのため、このような基準を採用するのであれば値が閾値以上となった場合に、無線パラメータの制御条件を満たしたと判定する。逆に、例示したこれらの基準のうち、平均スループットに関しては値が下がれば下がるほど悪化していることを表す。そのため、このような基準を採用するのであれば値が閾値以下となった場合に、無線パラメータの制御条件を満たしたと判定する。
【００９２】
ステップＳ１００−１〜Ｓ１００−Ｎにおける判定を満たしたセル３０に関しては（ステップＳ１００−１〜Ｓ１００−ＮにおいてＹｅｓ）、それぞれ、ステップＳ１０１−１からＳ１０１−Ｎに移行する。
【００９３】
一方、ステップＳ１００−１〜Ｓ１００−Ｎの判定を満たさないセル３０に関しては（ステップＳ１００−１〜Ｓ１００−ＮにおいてＮｏ）、無線パラメータを変更することなく処理を終了する。すなわち、ステップＳ１００−１〜Ｓ１００−Ｎの判定を満たさないセル３０に関しては連携グループには含めず、今回の連携制御の対象からは除外する。
【００９４】
以下では、セル３０−１〜３０−Ｍ（Ｍは１以上Ｎ以下の整数）が上記の条件を満たすとして説明をする。なお、図３では、便宜のために、Ｍ＝Ｎとしている。
【００９５】
次に、セル３０−１〜セル３０−Ｍに接続しているＵＥ４０が、無線パラメータを制御するための情報を得るために、無線品質の測定を行う（ステップＳ１０１−１〜Ｓ１０１−Ｍ）。測定された無線品質情報は、無線パラメータの制御条件を満たしたセル３０を管理している基地局２０−１〜基地局２０−Ｍを経由して、無線パラメータ制御装置１０に報告される。
【００９６】
次に、ステップＳ１０２−１〜Ｓ１０２−Ｍでは、無線パラメータの制御条件を満たしたセル３０−１〜セル３０−Ｍを対象として、それぞれのセル３０−ｉ（ｉ＝１〜Ｍ）の影響セルを設定する。ここで、セル３０−ｉの影響セルとは、セル３０−ｉからの影響を受けるセルのことである。
【００９７】
影響セルの設定方法としては、任意の設定方法を用いることが可能であり、例えば以下の方法が考えられる。
【００９８】
或るセル３０−ｊ（ｊは１以上Ｍ以下の整数）の影響セルを設定する場合、まずセル３０−ｊ自身は必ず含むようにする。
【００９９】
更に、セル３０−ｊ以外のセル３０についてであるが、セル３０−ｊの送信電力値が予め定められた送信電力値(例えば、設定により変更可能な範囲の下限値又はゼロなど)となった場合に、セル３０−ｊに接続するＵＥ４０がハンドオーバ先として選択すると見込まれるセル３０−ｋ（ｋは１以上Ｍ以下の整数、ｊ≠ｋ）を、セル３０−ｊの影響セルとして設定する。
【０１００】
或いは、セル３０−ｊの送信電力値が予め定められた送信電力値となった場合に、セル３０−ｊに接続するＵＥ４０であって、予め定められた数（或いは予め定められた割合）以上のＵＥ４０がハンドオーバ先として選択すると見込まれるセル３０―ｊを、セル３０−ｊの影響セルと設定してもよい。
【０１０１】
なお、セル３０−ｊの送信電力値を変更した際にハンドオーバ先として選択される見込まれるセル３０―ｋを決定するためには、Ｓ１０１−ｊでセル３０−ｊを管理する基地局２０に報告されたＵＥ４０の無線品質情報を活用する方法が考えられる。具体的には、各ＵＥ４０からの測定結果に応じて、各ＵＥ４０は下りパイロット信号及び／又はリファレンス信号の受信電力が最も高くなる他のセル３０−ｋをハンドオーバ先として接続するものと仮定する。
【０１０２】
これにより、セル３０−ｊの送信電力値を変更したときのＵＥ４０における受信電力の推定結果から、ハンドオーバ先として接続するセル３０−ｋを決定することが出来る。
【０１０３】
影響セルの設定方法の別の例としては、基地局２０の基地局アンテナ間の距離に基づいて設定する例が考えられる。すなわち、或るセル３０−ｊに対応した影響セル３０−ｋを設定する場合、セル３０−ｊを管理する基地局２０のアンテナの設置位置から所定の範囲内にある基地局２０が管理するセル３０を、セル３０−ｊの影響セル３０―ｋとして設定しても良い。
【０１０４】
影響セルの設定方法のさらに別の例としては、各ＵＥ４０のハンドオーバ試行数に基づいて設定する例が考えられる。すなわち、或るセル３０−ｊの影響セルを設定する場合、所定の期間で集計されたハンドオーバ試行数を用い、セル３０−ｊからのハンドオーバ試行数が所定の閾値を超えるセル３０を、セル３０−ｊの影響セル３０―ｋとして設定しても良い。
【０１０５】
影響セルの設定方法の更に別の例としては、予め設定されている隣接セルリストに基づいて設定する例が考えられる。すなわち、或るセル３０−ｊの影響セルを設定する場合、セル３０−ｊからのハンドオーバ先の候補として設定されている隣接セルリストを用い、隣接セルリストに登録されているセル３０の全部または一部を、セル３０−ｊの影響セル３０−ｋとして設定しても良い。
【０１０６】
次に、ステップＳ１０３では、無線パラメータの制御条件を満たしたセル３０−１〜セル３０−Ｍに基づいて、連携グループを設定する。
【０１０７】
連携グループの設定方法としては、例えば以下の方法が考えられる。
【０１０８】
例えば、任意のセルからの影響を受ける１以上の影響セルと、その任意のセルを自セルの影響セルとして、その任意のセルに影響を与える１以上のセルの集合を、連携グループとする方法が挙げられる。その場合、例えば、上記のように自セルの影響セルと自セルを影響セルとするセルを連携グループに追加することがなくなるまで繰り返し、その時点での連携グループを最終的に求まった連携グループとする。
【０１０９】
具体的には、まず、或るセル３０−Ａを選択し、セル３０−Ａを基点として、セル３０−Ａの影響セルであるセル３０−Ｂを探索すると共に、セル３０−Ａを影響セルとするセル３０−Ｃを探索する。こうして探索されたセル３０−Ｂやセル３０−Ｃを、連携グループのメンバに追加する。
【０１１０】
次に、追加されたセル３０−Ｂやセル３０−Ｃを基点として、同様の探索を行う。これらの処理を該当するセル３０が無くなるまで繰り返し、最終的にメンバとなったセル３０全てで連携グループを形成する。
【０１１１】
そして、例えば、１つ以上の連携グループが形成されたら、それらの連携グループに含まれないセルを起点として、追加の連携グループを形成する。
【０１１２】
連携グループの設定方法の別の例としては、セル３０としてマクロセルとピコセルが混在するネットワーク構成において、マクロセル単位で連携グループを形成するという手法が挙げられる。具体的には、１以上のピコセルのそれぞれについて、そのピコセルの１以上の影響セルに含まれる唯一のマクロセルが或る１つのマクロセルである場合は、これらの１以上のピコセルは、この或るマクロセルの連携グループに属するものとする。他方で、１以上のピコセルのそれぞれについて、そのピコセルの１以上の影響セルに含まれるマクロセルが複数ある場合は、それらの複数のマクロセルのうち最も影響度が大きいマクロセルを選択する。そして、選択したマクロセルを共通とする１以上のピコセルとその共通のマクロセルとが１つの連携グループに属するものとする。
【０１１３】
また、連携グループの設定方法の更に別の例としては、セル３０としてマクロセルとピコセルが混在するネットワーク構成において、上記の例とは逆に、ピコセル単位で連携グループを形成するという手法も挙げられる。
【０１１４】
具体的には、１以上のマクロセルのそれぞれについて、そのマクロセルの１以上の影響セルに含まれる唯一のピコセルが或る１つのピコセルである場合は、これらの１以上のマクロセルは、この或るピコセルの連携グループに属するものとする。他方で、１以上のマクロセルのそれぞれについて、そのマクロセルの１以上の影響セルに含まれるピコセルが複数ある場合は、それらの複数のピコセルのうち最も影響度が大きいピコセルを選択する。そして、選択したピコセルを共通とする１以上のマクロセルとその共通のピコセルとが１つの連携グループに属するものとする。
【０１１５】
連携グループの設定方法のさらに別の例としては、無線局のデータとして運用管理装置（図示せず）などに格納されているセルの設置位置の情報を用いて、近接するセル同士を連携グループとする手法が挙げられる。具体的には、ｋ−近傍法（ｋ−ＮＮ：k-nearest neighbor algorithm）などのクラスタリング手法が利用可能である。
【０１１６】
なお、連携グループは上記の方法で限定されたセル３０の範囲であっても良いし、無線パラメータ制御装置１０が管理するセル３０の全てであってもよい。すなわち、ステップＳ１００〜ステップＳ１０３を省略し、無線パラメータ制御装置１０が管理するセル３０全てを１つの連携グループとして取り扱っても良い。
【０１１７】
連携グループの設定により、ｇ個（ｇは１以上の整数）の連携グループが設定されたとする。すなわち、連携グループ１〜連携グループｇが設定されたとする。
【０１１８】
以降の処理は、各連携グループ毎の処理となる。なお、図３においてはステップＳ１０４−１、・・・、ステップＳ１０４−ｇが図示されているが、これは連携グループが複数存在する場合を想定したものである。本実施形態では連携グループが１つのみ存在する場合もあり得る。もしも、連携グループが１つのみ存在する場合（すなわち、ｇ＝１の場合）には、ステップＳ１０４−１のみが行われることとなる。
【０１１９】
続いて、ステップＳ１０４−ｈ（ｈ＝１〜ｇ）では、ステップＳ１０３で設定したｈ番目の連携グループ内のセル３０それぞれの無線パラメータを変更した場合における通信特性を予測する。そして、ｈ番目の連携グループ内の通信特性が最適になると予測された値にそれぞれのセル３０の無線パラメータを設定する。
【０１２０】
なお、ここで言う通信特性とは、例えば、トラフィック負荷、リソース利用率、実効的なスケジューリングユーザ数、ユーザスループット、セルスループット、受信品質(ＲＳＲＰ，ＲＳＲＱ，ＳＩＮＲ)などである。
【０１２１】
また、無線品質情報及び通信品質情報の双方を用いて、通信特性を算出する代わりに、無線品質情報及び通信品質情報の何れか一方のみを用いて、通信特性を算出してもよい。
【０１２２】
以上説明した内容が実施形態１及び実施形態２において共通する内容である。続いては実施形態１及び実施形態２についてそれぞれ個別に説明する。また、ステップＳ１０４−１〜Ｓ１０４−ｈにおける具体的な通信特性の予測動作は各実施形態により異なるため、以下の実施形態１及び実施形態２の説明において詳述する。
【０１２３】
＜実施形態１＞
実施形態１では、連携グループ内の他のセルの無線パラメータ変更による通信特性の変化を考慮した上で無線パラメータの決定並びに変更を行うために、他セル考慮制御を行う方法について説明する。
【０１２４】
実施形態１における連携グループ内にある各無線パラメータの制御方法について、図４を参照して説明する。
【０１２５】
図４は、連携グループ１〜ｇのうちの１つの連携グループである、「連携グループｈ」（ｈは１以上ｇ以下の整数）における処理を説明している。
【０１２６】
ステップＳ１０４−ｈ−１では、連携グループｈ内にある各セル３０の無線パラメータをそれぞれ変更した場合における通信特性を予測する。
【０１２７】
連携グループｈ内に含まれる或るセル３０の無線パラメータを変更した場合における通信特性を予測する際には、連携グループｈ内に含まれる或るセル３０以外の他のセル３０の無線パラメータが変更されることも考慮する。
【０１２８】
具体的な通信特性の予測方法は後述の実施例で説明する。
【０１２９】
次に、ステップＳ１０４−ｈ−２では無線パラメータ決定部１４が、ステップＳ１０４−ｈ−１で予測された通信特性に基づき、無線パラメータ変更後の通信特性が最適となるような各セルの無線パラメータの変更値を決定する。そして、無線パラメータ決定部１４が、決定した変更値へと各セルの無線パラメータを一括して変更する。これにより、本実施形態の動作は終了する。
【０１３０】
以上説明した第１の実施形態によれば、複数のセル内の各セルの無線パラメータを決定する際に、他のセルの無線パラメータの変更によって生じる通信特性の変化をも考慮し、複数のセルの無線パラメータを連携して制御することが可能となる。
【０１３１】
＜実施形態２＞
実施形態１では他セル考慮制御を行うための方法について説明したが、実施形態２では、連携グループ内の他のセルの無線パラメータ変更による、影響セルでの通信特性の変化を考慮して、無線パラメータの決定並びに変更を行うために、排他制御を行うための方法について説明する。
【０１３２】
実施形態２にかかる連携グループ内にある各無線パラメータの制御方法を図１０を参照して説明する。図３を参照して説明したステップＳ１０３までの処理でｇ個の連携グループが設定される。図１０は、設定された１つの連携グループｈ（ｈは１以上ｇ以下の整数）内の処理を説明している。ここで、図１０内の値ｎは、連携グループｈに含まれるセル数を表す。
【０１３３】
ステップＳ１０４−ｈ−１では、実施形態１と同様に、連携グループｈ内にある各セルの無線パラメータをそれぞれ変更した場合における通信特性を予測する。
【０１３４】
次に、ステップＳ１０４−ｈ−３では、ステップＳ１０４−ｈ−１で予測された通信特性を基に、無線パラメータを変更するセルと、無線パラメータの変更値を決定する。実施形態２では、無線パラメータを一度に変更するセルは連携グループｇ内で１つのみとする。
【０１３５】
次に、ステップＳ１０４−ｈ−４では、ステップＳ１０４−ｈ−３で決定された唯一つのセルの無線パラメータをステップＳ１０４−ｈ−３で決定された変更値に変更する。ここでの変更とは、計算上の変更ではなく、そのセルに係る基地局に実際にその変更された無線パラメータを設定することである。
【０１３６】
次に、ステップＳ１０４−ｈ−５では、無線パラメータ変更の完了条件を満たすかを判断する。完了条件を満たしていれば（ステップＳ１０４−ｈ−５においてＹｅｓ）、無線パラメータの制御は完了となる。
【０１３７】
一方、未だ完了条件を満たさない場合は（ステップＳ１０４−ｈ−５においてＮｏ）、ステップＳ１０４−ｈ−６−１〜Ｓ１０４−ｈ−６−ｎに移行する。
【０１３８】
ステップＳ１０４−ｈ−６−１〜Ｓ１０４−ｈ−６−ｎでは、次の制御タイミングで無線パラメータの制御を行うために、セル１〜ｎに接続するＵＥ４０がそれぞれ無線品質測定を行い、セル１〜ｎに係る基地局２０を経由して、無線品質情報を無線パラメータ制御装置１０に報告する。加えて、セル１〜ｎを管理する基地局２０は、それぞれ通信品質情報を測定し、同様に無線パラメータ制御装置１０に報告する。
【０１３９】
そして、無線品質情報及び通信品質情報の報告が完了すると、無線パラメータ制御装置１０は品質情報記憶部１１に記憶された無線品質情報及び通信品質情報を報告内容に基づいて更新する。これにより、ステップＳ１０４−ｈ−６−１〜Ｓ１０４−ｈ−６−ｎの処理は終了する。
【０１４０】
次に、ステップＳ１０４−ｈ−１に戻る。そして、無線パラメータ制御装置１０は、連携グループｈ内にある各セルの無線パラメータをそれぞれ変更した場合における影響セルでの通信特性を予測する。この通信特性の予測は、ステップＳ１０４−ｈ−６−１〜Ｓ１０４−ｈ−６−ｎにおいて更新された無線品質情報及び通信品質情報に基づいて行われる。
【０１４１】
その後は、ステップＳ１０４−ｈ−５においてＹｅｓとなるまで、ステップＳ１０４−ｈ−１〜ステップＳ１０４−ｈ−６を繰り返す。これにより、ステップＳ１０４−ｈの処理は終了する。
【０１４２】
ステップＳ１０４−ｈにおいてステップＳ１０４−ｈ−１〜ステップＳ１０４−ｈ−６を繰り返す際には、以前の制御タイミングで無線パラメータを変更したセルや、変更しないことを決定したセルについては、無線パラメータ変更の候補から除外するようにしても良い。なお、制御タイミングとは、無線パラメータを変更後に、無線品質情報や通信品質情報を更新し、更新された無線品質情報や通信品質情報に基づいて再度無線パラメータを変更するタイミングである。すなわち、ステップＳ１０４−ｈにおいてステップＳ１０４−ｈ−１〜ステップＳ１０４−ｈ−６という一連の処理を一度行うタイミングである。なお、制御タイミングは所定の周期で定期的に設けられても良いし、所定の時間に必ず設けるようにしても良いし、無線パラメータ制御装置１０がユーザの指示を受け付けたこと契機として設けられるようにしても良い。無線パラメータを変更したセルを除外することにより、他のセルの無線パラメータの変更をする前に、同じセルの無線パラメータを繰り返し変更することを避けることができる。
【０１４３】
なお、ステップＳ１０４−ｈ−５にて用いる完了条件としては、例えば、以下のような完了条件を用いるようにしても良い。
【０１４４】
例えば、連携グループ内にある全てのセルの無線パラメータの変更を完了すること、を第１の完了条件として例示できる。もしも、この第１の完了条件を採用するのであれば、ステップＳ１０４−ｈにおいてステップＳ１０４−ｈ−１〜ステップＳ１０４−ｈ−６を繰り返す際には、以前の制御タイミングで無線パラメータを変更したセルや、変更しないことを決定したセルについては、無線パラメータ変更の候補から除外する必要がある。
【０１４５】
また、ステップ１０４−ｈ−４において、無線パラメータを変更したとしても通信特性が改善するセルがない状態となったこと、を第２の完了条件として例示できる。
【０１４６】
更に、予め連携グループ内で無線パラメータを制御するセル数(又は連携グループ内の全てのセルに占める制御するセルの割合)を決めておき、無線パラメータを制御したセル数(又は連携グループ内の全てのセルに占める制御するセルの割合)が予め決められたセル数(又は連携グループ内の全てのセルに占める制御するセルの割合)になったこと、を第３の完了条件として例示できる。
【０１４７】
以上説明した実施形態２によれば、送信電力を実際に変更した後に測定された実際の通信品質特性及び実際の無線品質特性に基づいて、その変更後の送信電力に対応する通信特性の実際の値と、その変更後の送信電力の周辺の送信電力に対応する通信特性の予測値とを算出することができるので、送信電力の制御をより正確にすることができる。
【０１４８】
続いて、第１の実施形態におけるステップＳ１０４−ｈをより具体化した実施例である実施例１〜実施例４について説明する。なお、以下の各実施例では、ステップＳ１０４−ｈ−１における通信特性の予測方法はそれぞれ異なるが、ステップＳ１０４−ｈ−２の内容については共通している。そこで、重複した説明を避けるべく、以下の各実施例の説明においてステップＳ１０４−ｈ−２について説明することは省略する。
【実施例１】
【０１４９】
実施例１では、連携グループ内の複数のセルに対する無線パラメータの変更候補の組み合わせ全てに対して、通信特性の予測を行う。【０１５０】
今回実施例１について説明するための、セルの一配置例が図５に表されている。【０１５１】
図５を参照すると、今回のセルの配置例では、１つのマクロセル(マクロセル３１)と２つのピコセル（ピコセル３２及びピコセル３３）が存在する。そして、マクロセル３１は基地局２０−１の管理下にあり、ピコセル３２は基地局２０−２の管理下にあり、ピコセル３３は基地局２０−３の管理下にあるものとする。また、今回連携グループｈに含まれるセルは、２つのピコセル（ピコセル３２及びピコセル３３）のみであると仮定する。【０１５２】
また、今回の実施例１の説明では、変更する無線パラメータを送信電力、予測する通信特性をユーザスループットとした場合を例に取って説明する。また、送信電力の変更可能な範囲であるが、今回の説明ではそれぞれのピコセルにおいて３６〜３０ｄＢｍまで１ｄＢｍ刻みで変更できるものと仮定している。【０１５３】
次に、実施例１における通信特性の予測方法について、図６を参照して説明する。実施例１では、ピコセル（ピコセル３２及びピコセル３３）の無線パラメータ候補値の組み合わせ４９パターン（ピコセル３２：７種類の送信電力×ピコセル３３：７種類の送信電力）あり、４９パターンそれぞれで、双方のピコセルの影響セルに接続するＵＥ４０における５％スループット（双方のピコセルの影響セルに接続する全ＵＥ４０のユーザスループットを大きい順に並べた場合に、下位５％に相当するユーザのスループット（例えば、下位５％の順位の位置にいるユーザのスループット、下位５％に含まれる全ユーザの平均のスループットなど））を予測する。【０１５４】
ここで、以下の説明においては、ピコセル３２の送信電力を３６ｄＢｍとした場合であって、且つ、ピコセル３３の送信電力を３５ｄＢｍとした場合の組み合わせを「３６/３５」というように表記することとする。また、ピコセル３２の送信電力を３６ｄＢｍとした場合であって、且つ、ピコセル３３の送信電力を３５ｄＢｍとした場合の双方のピコセルの影響セルに接続するＵＥ４０における５％スループットが３．５Ｍｂｐｓであるような場合を「３６／３５：３．５Ｍｂｐｓ」というように表記することとする。【０１５５】
そして今回の例においては、それぞれの送信電力の組み合わせにおける５％スループットは、３６/３６：３．３Ｍｂｐｓ、３５/３６：３．１Ｍｂｐｓ、・・・３０/３６：３．０Ｍｂｐｓ、３６/３５：３．５Ｍｂｐｓ、３５/３５：３．８Ｍｂｐｓ、・・・３０/３５：３．９Ｍｂｐｓ、・・・、３６/３０：４．０Ｍｂｐｓ、３５/３０：４．２Ｍｂｐｓ、・・・、３０/３０：４．４Ｍｂｐｓとなる。【０１５６】
なお、現在のピコセル３２の送信電力は３６ｄＢｍであり、ピコセル３３の送信電力は３６ｄＢｍであり、これに対応する５％スループットの値である３．３Ｍｂｐｓは、現在実測された通信品質情報及び現在実測された無線品質情報に基づいて計算された値である。従って、この５％スループットの値は、実際の値である。また、ピコセル３２の送信電力の値とピコセル３３の送信電力の値の他の組合せに対応する５％スループットの値は、現在実測された通信品質情報及び現在実測された無線品質情報に基づいて計算された推定値である。これは、現在のピコセル３２の送信電力である３６ｄＢｍと、ピコセル３３の送信電力である３６ｄＢｍとの組合せに対応する５％スループットの値である３．３Ｍｂｐｓを基準とした相対値で表しても良い。この相対値は、送信電力を変えるならばこうなるであろうという変化量を表す。【０１５７】
したがって、実施例１では、ピコセル３２及びピコセル３３の送信電力は、予測した５％スループットが最大となる３０/３０（ピコセル３２：３０ｄＢｍ、ピコセル３３：３０ｄＢｍ）と決定される。【０１５８】
なお、実施例１では、連携グループ内のセル数が２の場合で説明したが、３以上の場合においても同様に無線パラメータの決定ができる。例えば、連携グループ内のセル数がａであれば、ａ次元のテーブルを用いて同様な方法を用いることができる。【０１５９】
また、制御する無線パラメータが送信電力であったが、アンテナチルト角やアンテナ方位角、ハンドオーバパラメータなど、他の無線パラメータであってもよい。さらに、変更する無線パラメータとして、送信電力という１種類の無線パラメータを変更する例であったが、変更対象となる無線パラメータが２種類以上の組み合せであってもよい。【０１６０】
例えば、連携グループ内のセル数がａであり、変更対象となる無線パラメータの数がｂであれば、ａ×ｂ次元のテーブルを用いて同様な方法を用いることができる。【０１６１】
また、通信特性の予測としてスループットの予測を行ったが、トラフィック負荷、ＳＩＮＲなどの信号対雑音干渉比など、他の通信特性を予測するようにしても良い。予測する通信特性を１つのみ見る場合には、評価量はその通信特性の予測値であるが、このように複数の通信特性の予測値を評価する場合には、評価量をこれらの複数の通信特性の予測値の関数とする。【０１６２】
更に、今回は下位５％のスループットを検討したが、５％はあくまで例示に過ぎず、他の値とするようにしても良い。例えば下位３％等としても良いし、影響セルに接続する全てのＵＥ４０の平均値や中央値を用いるようにしても良い。【０１６３】
上記では、連携グループ内のセル数がａであれば、ａ次元のテーブルを用いて同様な方法を用いることができる、という説明をした。これは、各セル毎の無線パラメータの調整範囲の最小値から最大値までの全ての組合せを作る場合に限った場合のことである。この他に、例えば、各セル毎の現在の無線パラメータからの差分絶対値の合計などが所定値以下である範囲内にある全ての無線パラメータの組合せを変更候補としてもよいし、ａ次元空間に分布する任意の組合せを変更候補としてもよい。【０１６４】
また、上記の説明では、変更候補の範囲は、現在の無線パラメータの値の組を含むこととしていて、これが通常であるが、必ずしも含む必要はない。これは、以下の実施例においても同様である。【０１６５】
実施例１では、それぞれセルの無線パラメータ候補値の組み合わせ全てにおける通信特性を予測するため、複数のセルが連携して無線パラメータ変更を行うことによる通信特性の改善効果を大きくすることができる。
【実施例２】
【０１６６】
実施例２では、連携グループ内の複数のセルに対して、無線パラメータを１セルずつ順番に決定することにより、通信特性を予測する組み合わせ数を限定する。すなわち、実施例２は、組み合せ全てについて予測を行うのではなく、限定した組み合せについてのみ予測を行う点で実施例１とは相違する。【０１６７】
以下の実施例２の説明においても、実施例１と同様に図５に表されているセルの配置例を用いて説明を行う。すなわち、実施例１と同様に、１つのマクロセル（３１）と２つのピコセル（ピコセル３２及びピコセル３３）が存在し、連携グループに含まれるセルは、２つのピコセル（ピコセル３２及びピコセル３３）のみである場合を例に取る。【０１６８】
また、変更する無線パラメータを送信電力、予測する通信特性をユーザスループットとする点、及び、送信電力はそれぞれのピコセルにおいて３６〜３０ｄＢｍまで１ｄＢｍ刻みで変更できる点についても実施例１と同様とする。【０１６９】
次に、実施例２における通信特性の予測方法について、図７を参照して説明する。実施例２では、連携グループ内の複数のセルの中から、１セルずつ順番に送信電力を決定する。そのため、実施例２では送信電力を決定するセルの順番から決定する。【０１７０】
セルの順番の決定方法の具体例としては、例えば、トラフィック負荷が高いセルから送信電力を決定する方法、呼の異常切断率が高いセルから決定する方法、実効的なスケジューリングユーザ数が大きいセルから決定する方法などが考えられる。つまり、無線パラメータを変更することによる影響度が大きいセルや、通信特性が悪いセルなどを順位の早いセルとする。【０１７１】
例えば、トラフィック負荷の高低で送信電力決定の順序を判断する方法を採用するとする、この場合には、ピコセル３２のトラフィック負荷が６０％、ピコセル３３のトラフィック負荷が７０％であるとすると、トラフィック負荷が高いセルであるピコセル３３から送信電力を決定することとなる。【０１７２】
そこで、まず、ピコセル３３でないセルであるピコセル３２の送信電力を初期値の３６ｄＢｍに固定する一方で、ピコセル３３の送信電力を３６ｄＢｍのままにした場合と、ピコセル３３の送信電力を３０ｄＢｍまで１ｄＢｍ刻みで変更した各場合で、双方の影響セルに接続する全てのＵＥ４０における５％スループットを予測する。【０１７３】
この場合、３６/３６：３．３Ｍｂｐｓ、３６/３５：３．８ｄＢｍ、・・・、３６/３０：３．６ｄＢｍとなるので、ピコセル３３の送信電力は、予測した５％スループットが最大となる３５ｄＢｍと決定される。【０１７４】
なお、上述の説明では、ピコセル３２の送信電力の初期値を３６ｄＢｍとして固定しているが、これは、本例ではピコセル３２の現在の送信電力の値が３６ｄＢｍだからである。つまり、本例では現在値をそのまま初期値として用いるようにしている。【０１７５】
次に、ピコセル３３の送信電力を決定された３５ｄＢｍに固定する一方で、順位が２番であるピコセル３２の送信電力を３６ｄＢｍのままにした場合と、ピコセル３２の送信電力を３０ｄＢｍまで１ｄＢｍ刻みで変更した各場合で、双方の影響セルに接続するＵＥ４０における５％スループットを予測する。【０１７６】
この場合、３６/３５：３．８Ｍｂｐｓ、３５/３５：３．９ｄＢｍ、・・・、３０/３５：３．６ｄＢｍとなるので、ピコセル３２の送信電力は、予測した５％スループットが最大となる３５ｄＢｍと決定される。【０１７７】
従って、実施例２では、ピコセル３２の送信電力が３６ｄＢｍから３５ｄＢｍに変更され、ピコセル３３の送信電力が３６ｄＢｍから３５ｄＢｍに変更されることになる。【０１７８】
実施例２では、（ピコセル３２：１種類の送信電力×ピコセル３３：７種類の送信電力＋ピコセル３３：１種類の送信電力×ピコセル３２：７種類の送信電力（１×７＋１×７））の１４パターンで５％スループット予測を行うことになり、実施例１（４９パターン）よりもスループット予測対象とするパターンを減少させることが可能となる。そのため、スループット予測に伴う演算の量を減少させることが可能となる。【０１７９】
なお、実施例２では、一方のセルの送信電力を変更した場合の通信特性の予測結果から、この一方のセルの送信電力を一意に決定した。つまり、上述の例で言えばピコセル３３の送信電力を予測した５％スループットが最大となる３５ｄＢｍに一意に決定した。もっともこのように一意に決定するのではなく、複数の送信電力を候補とする方法を採用しても良い。この場合、５％スループットが最大となる送信電力だけではなく、２番目や３番目となる送信電力を候補として残し、他方のセルの送信電力との組み合わせに対する通信特性を予測する。仮にこのようにした場合であっても実施例１に比べスループット予測対象とするパターンを減少させることが可能となる。例えば、３番目になる送信電力までを候補としたとしても（ピコセル３２：１種類の送信電力×ピコセル３３：７種類の送信電力＋ピコセル３３：３種類の送信電力×ピコセル３２：７種類の送信電力力（１×７＋１×７×３））の２８パターンで５％スループット予測を行うことになり、実施例１（４９パターン）よりもスループット予測対象とするパターンを減少させることが可能となる。【０１８０】
また、上記の例では、送信電力の調整範囲を３０ｄＢｍから３６ｄＢｍの範囲としたが、この調整範囲を変更してもよい。例えば、調整範囲を広げたり、シフトしたり、上限値と下限値とを別々に変更してもよい。【０１８１】
なお、実施例２では、連携グループ内のセル数が２の場合で説明したが、３以上の場合においても同様に無線パラメータの決定ができる。【０１８２】
例えば、連携グループに含まれるセルの数が３である場合には、まず、優先順位を１から３まで決定し、それから優先順位が２のセルの送信電力と優先順位が３のセルの送信電力とをそれぞれ現在値に固定した状態で、優先順位が１のセルの送信電力を所定の範囲内で通信特性が最も良くなるように決定する。それから優先順位が１のセルの送信電力を決定後の値に固定し、優先順位が３のセルの送信電力を現在値に固定した状態で、優先順位が２のセルの送信電力を所定の範囲内で通信特性が最も良くなるように決定する。最後に、優先順位が１のセルの送信電力と優先順位が２のセルの送信電力とをそれぞれ決定後の値に固定した状態で、優先順位が３のセルの送信電力を所定の範囲内で通信特性が最も良くなるように決定する。これは、連携グループに含まれるセル数が４以上になった場合でも同様である。【０１８３】
また、制御する無線パラメータが送信電力であったが、アンテナチルト角やアンテナ方位角、ハンドオーバパラメータなど、他の無線パラメータであってもよい。さらに、変更する無線パラメータとして、送信電力という１種類の無線パラメータを変更する例であったが、変更対象となる無線パラメータが２種類以上の組み合せであってもよい。また、通信特性の予測としてスループットの予測を行ったが、トラフィック負荷、ＳＩＮＲなどの信号対雑音干渉比など、他の通信特性を予測するようにしても良い。更に、今回は下位５％のスループットを例示したが、他の値とするようにしても良い。例えば下位３％等としても良いし、影響セルに接続する全てのＵＥ４０の平均値や中央値を用いるようにしても良い。【０１８４】
実施例２では、それぞれセルの無線パラメータ候補値の組み合わせ全てにおける通信特性を予測するため、複数のセルが連携して無線パラメータ変更を行うことによる通信特性の改善効果を大きくすることができる。【０１８５】
実施例２では、連携グループ内の複数のセルに対して、無線パラメータを１セルずつ順番に決定することにより、無線パラメータの変更効果を保ちつつ、通信特性の予測に伴う計算量を削減することができる。
【実施例３】
【０１８６】
実施例１、２では各セルの無線パラメータを一回の判断で一度に決定したが、実施例３では、これらとは異なり、一回の判断で変更する変更幅を予め決定しておき、複数のセルの無線パラメータを順々に少しずつ変えることを繰り返しながら無線パラメータを決定する。【０１８７】
実施例３でも、実施例１及び２と同様に、図５に表されているセルの配置例を用いて説明を行う。すなわち、実施例１と同様に、１つのマクロセル（３１）と２つのピコセル（ピコセル３２及びピコセル３３）が存在し、連携グループに含まれるセルは、２つのピコセル（ピコセル３２及びピコセル３３）のみである場合を例に取る。【０１８８】
また、変更する無線パラメータを送信電力、予測する通信特性をユーザスループットとする点、及び、送信電力はそれぞれのピコセルにおいて３６〜３０ｄＢｍまで１ｄＢｍ刻みで変更できる点についても実施例１及び２と同様とする。【０１８９】
次に、実施例３における通信特性の予測方法について、図８を参照して説明する。実施例３では、実施例２と同様に、連携グループ内の複数のセルの中から、１セルずつ順番に送信電力を決定する。そのため、実施例３においても、送信電力を決定するセルの順番から決定する。【０１９０】
セルの順番の決定方法の具体例としては、例えば、トラフィック負荷が高いセルから送信電力を決定する方法、呼の異常切断率が高いセルから決定する方法、実効的なスケジューリングユーザ数が大きいセルから決定する方法などが考えられる。つまり、無線パラメータを変更することによる影響度が大きいセルや、通信特性が悪いセルなどを順位の早いセルとする。【０１９１】
例えば、トラフィック負荷の高低で送信電力決定の順序を判断する方法を採用するとする、この場合には、ピコセル３２のトラフィック負荷が６０％、ピコセル３３のトラフィック負荷が７０％であるとすると、トラフィック負荷が高いセルであるピコセル３３から送信電力の決定を開始する。【０１９２】
実施例３では、送信電力を一度に変更する変更幅を１ｄＢｍとする。まず、ピコセル３２の送信電力を３６ｄＢｍに固定する一方で、ピコセル３３の送信電力を３６ｄＢｍのままにした場合と、ピコセル３３の送信電力を３５ｄＢｍに変更した場合で、双方の影響セルに接続するＵＥ４０における５％スループットを予測する。この場合、３６/３６：３．３Ｍｂｐｓ、３６/３５：３．５ｄＢｍとなるので、ピコセル３３の送信電力を３５ｄＢｍに仮決定する。【０１９３】
次に、ピコセル３３の送信電力を３５ｄＢｍに固定する一方で、ピコセル３２の送信電力を３６ｄＢｍのままにした場合と、ピコセル３２の送信電力を３５ｄＢｍに変更した場合で、双方の影響セルに接続するＵＥ４０における５％スループットを予測する。この場合、３６/３５：３．５Ｍｂｐｓ、３５/３５：３．６ｄＢｍとなるので、ピコセル３２の送信電力を３５ｄＢｍに仮決定する。【０１９４】
このように、本実施例においては予め決定しておいた変更幅の範囲内での仮決定を、変更対象のセルを変えながら繰り返し行うことにより、決定する無線パラメータの探索を行う。そして、このような仮決定の繰り返しによる探索を、所定の終了条件を満たすまで行う。そして、所定の終了条件を満たしたセルについては終了条件を満たす前に仮決定した値により本決定を行うことにより無線パラメータを確定させ、探索を終了する。本決定が行われたセルはその後の探索の対象から除外する。【０１９５】
ここで、例えば、以下のような第１の終了条件例のような条件を所定の終了条件とすることができる。【０１９６】
ここで、第１の終了条件例では、或るセルにおいて予め決定しておいた変更幅の範囲内で送信電力を変更したとしても、変更後の通信特性が全く改善しなくなった場合に、この或るセルについては終了条件を満たしたものと判断する。本例においては通信特性として５％スループットという指標を用いているので、変更後の５％スループットが変更前の５％スループットに対して全く改善しなくなった場合に、この或るセルについては終了条件を満たしたものと判断する。そして、この或るセルについては終了条件を満たす前に仮決定した値に送信電力を本決定し、今後の探索の対象からこの或るセルを除外する。除外されたこの或るセルの送信電力を本決定した送信電力で固定した状態で、探索の対象から除外されたこの或るセル以外のセルで探索を続行する。そして最終的に、全てのセルについて、予め決定しておいた変更幅の範囲内で送信電力を変更したとしても、５％スループットという指標について改善が得られなくなった場合に全てのセルについて終了条件を満たしたものと判断する。そして、終了条件を満たす前に仮決定した値に送信電力を本決定し、探索を終了する。【０１９７】
上記の終了条件を今回の例にあてはめると、ピコセル３３の送信電力を３４ｄＢｍまで仮決定した後に、ピコセル３２の送信電力を変更した場合の通信スループットを予測する。すなわち、ピコセル３２の送信電力は３５ｄＢｍまで仮決定されているので、ピコセル３２送信電力を３４ｄＢｍまで下げた場合の通信スループットを予測する。すると、３５/３４：３．８Ｍｂｐｓ、３４/３４：３．７ｄＢｍとなることから予め決定しておいた変更幅の範囲内である１ｄＢｍ下げたとしても５％スループットという指標についての改善が得られなくなる。そこで、ピコセル３２に関しては終了条件を満たしたと判断でき、ピコセル３２に関しては終了条件を満たす前に仮決定した３５ｄＢｍに送信電力を本決定する。そして、ピコセル３２は以後の探索の対象から除外される。【０１９８】
続いて、ピコセル３２の送信電力を３５ｄＢｍに決定してから、ピコセル３３について探索を継続すると、ピコセル３３の送信電力は３４ｄＢｍまで仮決定されているので、ピコセル３３送信電力を３３ｄＢｍまで下げた場合の通信スループットを予測する。すると、３５/３４：３．８Ｍｂｐｓ、３５/３３：３．６ｄＢｍとなることから予め決定しておいた変更幅の範囲内である１ｄＢｍ下げたとしても、５％スループットという指標についての改善が得られなくなる。そこで、ピコセル３３に関しても終了条件を満たしたと判断でき、ピコセル３３に関しては終了条件を満たす前に仮決定した３４ｄＢｍに送信電力を本決定する。【０１９９】
なお、仮にピコセル３３送信電力を３３ｄＢｍまで下げた場合に５％スループットという指標についての改善が得られるような場合を考える。この場合にはピコセル３２は既に探索の対象から除外されているので、再度ピコセル３３を対象として探索が行われる。すなわち、ピコセル３３の送信電力を３２ｄＢｍまで下げた場合に５％スループットという指標についての改善が得られるか否かが判断される。そして、ピコセル３３が終了条件を満たすまで探索が継続される。【０２００】
また、上述の説明では、或るセルにおいて予め決定しておいた変更幅の範囲内で送信電力を変更したとしても、変更後の通信特性が全く改善しなくなった場合に、この或るセルについては終了条件を満たしたものと判断していた。これを変形して、変更後の通信特性が変更前の通信特性に比べて所定の値以上改善しなくなった場合に、終了条件を満たしたものと判断するようにしても良い。本例でいえば予め決定しておいた変更幅の範囲内である１ｄＢｍ下げたとしても、５％スループットという指標が、例えば０．２Ｍｂｐｓ以上向上しないのであれば終了条件を満たしたものと判断するようにしても良い。例えば、変更前の５％スループットが３．５ｍＭｂｐｓであったとすると、変更後の５％スループットが３．７ｍＭｂｐｓであれば、０．２Ｍｂｐｓ以上向上しているので終了条件を満たさない。一方で、変更後の５％スループットが３．６ｍＭｂｐｓであれば、０．２Ｍｂｐｓ以上向上していないので終了条件を満たすこととなる。【０２０１】
また、他の変形として、変更後の通信特性が変更前の通信特性に比べて所定の割合以上改善しなくなった場合に、終了条件を満たしたものと判断するようにしても良い。すなわち所定の改善率を設定しておきこの改善率以上改善しなくなった場合に、終了条件を満たしたものと判断するようにしても良い。本例でいえば予め決定しておいた変更幅の範囲内である１ｄＢｍ下げたとしても、５％スループットという指標の改善率が、５％以上向上しないのであれば終了条件を満たしたものと判断するようにしても良い。例えば、変更前の５％スループットが３．５ｍＭｂｐｓであったとすると、変更後の５％スループットが３．７ｍＭｂｐｓであれば、改善率は５．７％なので終了条件を満たさない。一方で、変更後の５％スループットが３．６ｍＭｂｐｓであれば、改善率は２．８％なので終了条件を満たすこととなる。【０２０２】
なお、終了条件としては、上述した第１の終了条件例の他にも多くの終了条件例が考えられる。例えば、少なくとも１つのセルにおいて送信電力変更に対して５％スループットという指標についての改善が得られなくなった時点で、全てのセルに関して終了条件を満たしたと判断するような第２の終了条件例が考えられる。本例では、少なくとも１つのセルにおいて送信電力変更に対して５％スループットという指標についての改善が得られなくなった時点で、全てのセルについて終了条件を満たす前の送信電力に本決定し、全てのセルについての探索を終了する。【０２０３】
また他の終了条件例としては、或るセルの送信電力の変更に対して５％スループットという指標についての改善が得られなくなった場合、この或るセルの送信電力を当該変更前の送信電力に固定した状態で探索を続行する。そして、この或るセル以外の少なくとも一つのセルにおいて５％スループットという指標についての改善が得られるのであれば、この少なくとも一つのセルにおいて改善が得られた送信電力条件を基点として、上記の或るセルを含めた全てのセルで探索を続行し、最終的に全てのセルに対して改善が得られなくなった場合に終了条件を満たしたと判断する。最後に、全てのセルにおいて終了条件を満たす直前の送信電力に本決定し、探索を終了する方法が第３の終了条件例として挙げられる。【０２０４】
更には、５％スループットという指標についての改善が得られなくなるか否かにかかわらず、全てのピコセルの送信電力の下限値まで探索を続け、その中で５％スループットという指標が最も高くなる組み合わせに送信電力に決定する、という第４の終了条件例も例示できる。これを、セルを循環的に切り替えながら繰り返す。【０２０５】
なお、実施例３では、連携グループ内のセル数が２の場合で説明したが、３以上場合においても同様に無線パラメータの決定ができる。【０２０６】
例えば、連携グループに含まれるセルの数が３である場合には、まず、優先順位を１から３まで決定し、それから優先順位が２のセルの送信電力と優先順位が３のセルの送信電力とをそれぞれ現在値に固定した状態で、優先順位が１のセルの送信電力を所定の範囲内で通信特性が最も良くなるように仮決定する。それから優先順位が１のセルの送信電力を仮決定後の値に固定し、優先順位が３のセルの送信電力を現在値に固定した状態で、優先順位が２のセルの送信電力を所定の範囲内で通信特性が最も良くなるように仮決定する。次に、優先順位が１のセルの送信電力と優先順位が２のセルの送信電力とをそれぞれ仮決定後の値に固定した状態で、優先順位が３のセルの送信電力を所定の範囲内で通信特性が最も良くなるように仮決定する。【０２０７】
上記の動作を一般には、複数回繰り返す。繰り返しの終了条件は、上述したとおりである。また、上記の所定の範囲を、通常は、実施例２の所定の範囲よりも狭くするが、必ずしもそうする必要はない。【０２０８】
これは、連携グループに含まれるセル数が４以上になった場合でも同様である。【０２０９】
また、制御する無線パラメータが送信電力であったが、アンテナチルト角やアンテナ方位角、ハンドオーバパラメータなど、他の無線パラメータであってもよい。さらに、変更する無線パラメータとして、送信電力という１種類の無線パラメータを変更する例であったが、変更対象となる無線パラメータが２種類以上の組み合せであってもよい。また、通信特性の予測としてスループットの予測を行ったが、トラフィック負荷、ＳＩＮＲなどの信号対雑音干渉比など、他の通信特性を予測するようにしても良い。更に、今回は下位５％のスループットを検討したが、５％はあくまで例示に過ぎず、他の値とするようにしても良い。例えば下位３％等としても良いし、影響セルに接続する全てのＵＥ４０の平均値や中央値を用いるようにしても良い。また、一度に変更する変更幅を１ｄＢｍとしたが、他の変更幅でも同様に適用可能である。【０２１０】
また、上記の例では、送信電力を下げると改善効果が見込めるという前提のもとに、送信電力を１ｄＢｍ下げた場合のスループットという指標についての改善を見ている。しかし、送信電力を上げた場合に改善効果が出る可能性があるのであれば、送信電力を１ｄＢｍ下げた場合のスループットという指標についての改善効果の他に、送信電力を１ｄＢｍ上げた場合の改善効果も見る。このような場合には、送信電力を変えない場合と１ｄＢｍ下げた場合と１ｄＢｍ上げた場合の３つの場合のスループットを比較して、５％スループットという指標についての改善が得られる方向に送信電力を変更する。【０２１１】
実施例３では、一度に変更する変更幅を予め決定しておき、複数のセルの無線パラメータを少しずつ変えながら送信電力を決定する。このような決定方法は、特に無線パラメータの上限値と下限値の差が大きいような場合に有効である。
【実施例４】
【０２１２】
実施例４では、実施例２及び実施例３と同様に、連携グループ内の複数のセルに対して、無線パラメータを１セルずつ順番に予測することにより、通信特性を予測する組み合わせ数を限定する。もっとも、実施例４は実施例２及び３と比べて、無線パラメータを決定するセルの順序を複数の観点から考慮する。【０２１３】
実施例２及び３では、連携グループ内のセルの無線パラメータを決定する際、例えばセルのトラフィック負荷を基に最初に無線パラメータを決定するセルを決定していた。つまり、ひとつの順序を決定し、このひとつの順序のみに基づいて通信特性を予測していた。【０２１４】
しかし、実施例４では、複数の決定順序において通信特性を予測する点で相違する。そして、実施例４ではこの複数の決定順序による複数の予測結果に基づいて、通信特性の改善が最も大きくなる無線パラメータに決定する。【０２１５】
なお、実施例４でも、実施例１〜３と同様に、図５に示すセルの配置例を用いて説明を行う。すなわち、実施例１と同様に、１つのマクロセル（３１）と２つのピコセル（ピコセル３２及びピコセル３３）が存在し、連携グループに含まれるセルは、２つのピコセル（ピコセル３２及びピコセル３３）のみである場合を例に取る。【０２１６】
また、変更する無線パラメータを送信電力、予測する通信特性をユーザスループットとする点、及び、送信電力はそれぞれのピコセルにおいて３６〜３０ｄＢｍまで１ｄＢｍ刻みで変更できる点についても実施例１〜３と同様とする。【０２１７】
次に、実施例４における通信特性の予測方法について、図９を参照して説明する。【０２１８】
実施例４では、ピコセル３２→ピコセル３３の順番で送信電力を決定した場合と、ピコセル３３→ピコセル３２の順番で送信電力を決定した場合との、それぞれに対して、実施例２と同様に各セルの送信電力を一度に決定するという処理を行う。すなわち、実施例４では、複数の決定順序において、それぞれ通信特性を予測し、その通信特性に基づいて送信電力を決定する。複数の決定順序にそれぞれ対応する複数の送信電力が得られる。得られた複数の送信電力にそれぞれ対応する、予測された複数の通信特性を比較し、優れている方の通信特性に対応する送信電力を選択する。【０２１９】
この例では、ピコセル３２→ピコセル３３の順番の場合では、まず、ピコセル３３の送信電力を３６ｄＢｍで固定する一方で、ピコセル３２の送信電力を３６ｄＢｍのままにした場合と、ピコセル３２の送信電力を３０ｄＢｍまで１ｄＢｍ刻みで変更した各場合で、影響セルに接続する全てのＵＥ４０における５％スループットを予測する。その結果、３５/３６：３．５Ｍｂｐｓが得られる。その後、ピコセル３２の送信電力を３５ｄＢｍで固定する一方で、ピコセル３３の送信電力を３６ｄＢｍのままにした場合と、ピコセル３３の送信電力を３０ｄＢｍまで１ｄＢｍ刻みで変更した各場合で、影響セルに接続する全てのＵＥ４０における５％スループットを予測する。その結果、３５/３０：４．２Ｍｂｐｓが最大の予測スループットとして得られる。【０２２０】
一方で、ピコセル３３→ピコセル３２の順番では、ピコセル３２の送信電力を３６ｄＢｍで固定する一方で、ピコセル３３の送信電力を３６ｄＢｍのままにした場合と、ピコセル３３の送信電力を３０ｄＢｍまで１ｄＢｍ刻みで変更した各場合で、双方の影響セルに接続する全てのＵＥ４０における５％スループットを予測する。その結果、３６/３５：３．８Ｍｂｐｓが得られる。その後、ピコセル３３の送信電力を３５ｄＢｍで固定する一方で、ピコセル３２の送信電力を３６ｄＢｍのままにした場合と、ピコセル３２の送信電力を３０ｄＢｍまで１ｄＢｍ刻みで変更した各場合で、影響セルに接続する全てのＵＥ４０における５％スループットを予測する。その結果、３５/３５：３．９Ｍｂｐｓが最大の予測スループットとして得られる。【０２２１】
従って、ピコセル３２→ピコセル３３の順番で変更した場合の３５/３０：４．２Ｍｂｐｓと、ピコセル３３→ピコセル３２の順番で変更した場合の３５/３５：３．９Ｍｂｐｓとの比較より明らかなように、ピコセル３２→ピコセル３３の順番で変更した場合のほうが、ピコセル３３→ピコセル３２の順番で変更した場合よりも、５％スループットという指標についての改善が大きい。そのため、ピコセル３２及びピコセル３３の送信電力は、３５/３０（ピコセル３２：３５ｄＢｍ、ピコセル３３：３０ｄＢｍ）と決定される。【０２２２】
なお、実施例４では、連携グループ内のセル数が２の場合で説明したが、３以上場合においても同様に無線パラメータの決定ができる。【０２２３】
例えば、連携グループに第１のピコセル、第２のピコセル及び第３のピコセルという３つのセルが含まれている場合には、第１のピコセル→第２のピコセル→第３のピコセルという第１の順番で変更した場合の通信特性の予測値と、第１のピコセル→第３のピコセル→第２のピコセルという第２の順番で変更した場合の通信特性の予測値と、第２のピコセル→第１のピコセル→第３のピコセルという第３の順番で変更した場合の通信特性の予測値と、第２のピコセル→第３のピコセル→第１のピコセルという第４の順番で変更した場合の通信特性の予測値と、第３のピコセル→第１のピコセル→第２のピコセルという第５の順番で変更した場合の通信特性の予測値と、第３のピコセル→第２のピコセル→第１のピコセルという第６の順番で変更した場合の通信特性の予測値との６つの予測値を比較し、もっとも通信特性の改善が大きいものを選択して決定する。【０２２４】
これは、連携グループに含まれるセル数が４以上になった場合でも同様である。【０２２５】
また、制御する無線パラメータが送信電力であったが、アンテナチルト角やアンテナ方位角、ハンドオーバパラメータなど、他の無線パラメータであってもよい。さらに、変更する無線パラメータとして、送信電力という１種類の無線パラメータを変更する例であったが、変更対象となる無線パラメータが２種類以上の組み合せであってもよい。また、通信特性の予測としてスループットの予測を行ったが、トラフィック負荷、ＳＩＮＲなどの信号対雑音干渉比など、他の通信特性を予測するようにしても良い。更に、今回は下位５％のスループットを検討したが、５％はあくまで例示に過ぎず、他の値とするようにしても良い。例えば下位３％等としても良いし、影響セルに接続する全てのＵＥ４０の平均値や中央値を用いるようにしても良い。【０２２６】
加えて、今回の説明では実施例４を、実施例２（各セルの無線パラメータを一度に決定する方法）の変形例として実現したが、実施例３（複数のセルの無線パラメータを少しずつ変えながら無線パラメータを決定する方法）の変形例として実施例４を実現しても良い。また、仮に実施例３の変形例として実現する場合には、一度に変更する変更幅を任意の値に定めて良い。また、実施例２と実施例３を混在させ、これらにより得られる５％スループットという指標についての改善を比較してもよい。【０２２７】
実施例４では、無線パラメータを決定するセルの順序を複数の観点から考慮できるため、実施例２及び３よりも計算量は多くなるが、無線パラメータの変更効果を大きくすることができる。特に、連携グループ内のセル同士が近接している場合など、大きく影響しあう環境においては効果が大きくできる。【０２２８】
以上より、実施形態１では、特性改善効果及び計算量が異なる様々な無線パラメータ変更方法が存在するため、状況に応じて最適な方法を選択することが可能である。【０２２９】
また、実施形態１では、複数のセルの無線パラメータを通信特性の予測を基に求めた後、これら複数のセルの無線パラメータを一括して制御する。そのため、無線通信システム全体の制御に要する時間を短縮することができる。
【実施例５】
【０２３０】
上述の実施例１〜実施例４は第１の実施形態に対応したものである。次に、第２の実施形態に対応した実施例である実施例５について説明する。【０２３１】
実施形態１に対応する実施例１〜４では、１つの制御タイミングで複数セルの無線パラメータを一括に制御していた。これに対し、実施形態２に対応する実施例５では、１つの制御タイミングで一度に変更するセルは連携グループｈ内で１つのみとする。そして、唯一つのセルの無線パラメータを実際に変更した後に無線品質情報及び通信品質情報を取得してから、次の制御タイミングで一つのセルの無線パラメータを実際に変更するといった処理を繰り返す。【０２３２】
実施例５でも、実施例１〜４と同様に、図５に表されているセルの配置例を用いて説明を行う。すなわち、実施例１と同様に、１つのマクロセル（３１）と２つのピコセル（ピコセル３２及びピコセル３３）が存在し、連携グループに含まれるセルは２つのピコセル（ピコセル３２及びピコセル３３）のみである場合を例に取る。【０２３３】
また、変更する無線パラメータを送信電力、予測する通信特性をユーザスループットとする点、及び、送信電力はそれぞれのピコセルにおいて３６〜３０ｄＢｍまで１ｄＢｍ刻みで変更できる点についても実施例１〜４と同様とする。【０２３４】
次に、実施例５における通信特性の予測方法について、図１１を参照して説明する。実施例５では、以前の制御タイミングで無線パラメータを変更したセルや、変更しないことを決定したセルについては、無線パラメータ変更の候補から除外する方法を用いることとする。【０２３５】
つまり、２つのピコセルの送信電力を１セルずつ変更する。また、完了条件としては、制御グループ内にある全てのセルの無線パラメータの変更を完了することを用いるものとする。つまり、今回の例では２つのピコセルを対象としているので、最初の制御タイミングで何れか一方のピコセルの無線パラメータを変更する。そして、２回目の制御タイミングでは一回目の制御タイミングで無線パラメータを変更したピコセルを候補から除外し、変更を行っていない他方のピコセルの無線パラメータを変更する。そして、２回目の制御タイミングにて制御グループ内にある全てのセルの無線パラメータの変更を完了したこととなり、完了条件は満たされるので、次回は、再度最初の制御タイミングとして処理が行われることとなる。【０２３６】
まず、ピコセル３２及び３３の送信電力をそれぞれ３６〜３０ｄＢｍの範囲で１ｄＢｍの変更幅で変更したそれぞれの場合に対応する、影響セルに接続する全てのＵＥ４０における５％スループットを予測する。実施例５では、セルを１つずつ制御することが前提のため、送信電力の変更を想定するセル以外は、送信電力の変更はないものとする。まず、制御対象をセル３３とする。従って、セル３２の送信電力を３６ｄＢｍに固定する。この場合、ピコセル３３を３５ｄＢｍとしたときに、５％スループットが３．７Ｍｂｐｓで最大となる。従って、最初の制御タイミングでは、ピコセル３３の送信電力を３５ｄＢｍに変更する。【０２３７】
次に、完了条件を満たすか否かを判定する。この場合、ピコセル３２の送信電力の変更が行われていないため、次の制御タイミングでの無線パラメータ制御のために無線品質測定及び通信品質の測定及び無線パラメータ制御装置１０への報告を行う。ここで、ピコセル３２及びピコセル３３に接続するＵＥ４０は無線品質測定を行い、ピコセル３２及びピコセル３３では、通信品質測定を行う。【０２３８】
次に、測定した無線品質測定及び通信品質測定を使って、ピコセル３２の無線パラメータの制御を行う。上記と同様に、影響セルに接続する全てのＵＥ４０における５％スループットを予測する。このとき、５％スループット予測に用いる無線品質情報及び通信品質情報は、上述のように、最初の制御タイミングで変更された送信電力の下で測定、更新された後の情報である。すなわち、セル３２の送信電力が３６ｄＢｍであり、セル３３の送信電力が３５ｄＢｍである時の無線品質情報及び通信品質情報を利用する。【０２３９】
この例においては、２番目の制御タイミングで、ピコセル３３の送信電力は３５ｄＢｍとなっているため、これを基に５％スループットを予測する。このとき、ピコセル３２の送信電力を３５ｄＢｍに対応する５％スループットが最大値である３．８Ｍｂｐｓを示すので、ピコセル３２の送信電力を３５ｄＢｍに変更する。従って、実施例５では、ピコセル３２の送信電力が３６ｄＢｍから３５ｄＢｍに変更され、ピコセル３３の送信電力が３６ｄＢｍから３５ｄＢｍに変更されることになる。【０２４０】
なお、実施例５では、連携グループ内のセル数が２の場合を例にとって説明をしたが、３以上場合においても同様に無線パラメータの決定ができる。【０２４１】
また、制御する無線パラメータが送信電力であったが、アンテナチルト角やアンテナ方位角、ハンドオーバパラメータなど、他の無線パラメータであってもよい。さらに、変更する無線パラメータとして、送信電力という１種類の無線パラメータを変更する例であったが、変更対象となる無線パラメータが２種類以上の組み合せであってもよい。また、通信特性の予測としてスループットの予測を行ったが、トラフィック負荷、ＳＩＮＲなどの信号対雑音干渉比など、他の通信特性を予測するようにしても良い。更に、今回は下位５％のスループットを検討したが、５％はあくまで例示に過ぎず、他の値とするようにしても良い。例えば下位３％等としても良いし、影響セルに接続する全てのＵＥ４０の平均値や中央値を用いるようにしても良い。また、上記では、連携グループ内の全てのセルに対して、通信特性の予測に基づいて最初に制御するセルを決定したが、例えばトラフィック負荷が最も高いセル、呼の異常切断率が高いセル、実効的なスケジューリングユーザ数が高いセルなどを選択してもよい。【０２４２】
なお、実施形態２では、ステップＳ１０３で決定した連携グループを複数の制御タイミングにわたって用いる形態を示したが、これは本実施形態の動作を限定する趣旨ではない。【０２４３】
例えば、連携グループ内にある１つのセルのパラメータが終了した後、変更後の通信品質情報に基づいて、再度連携グループを設定するようにしても良い。具体的には、連携グループ内にある１つのセルのパラメータが終了した後、変更後の通信品質情報を基に、制御するセルを更新(図３のステップＳ１００に戻ることに相当)したり、ＵＥ４０の無線品質情報を基に各セルの影響セルの設定を更新（図３のステップＳ１０１に戻ることに相当）した後に、連携グループを更新してもよい。【０２４４】
実施形態２では、実施形態１と比較して制御に要する全体の時間が長くはなるが、無線パラメータ変更後の測定結果に基づいた制御が可能となるため、より的確な無線パラメータ制御が可能となる、という有利な効果を奏する、【０２４５】
なお、上述した各実施形態では、ピコセルの無線パラメータのみを変更する場合について説明したが、マクロセルの無線パラメータを変更する場合についても同様に適用できる。【０２４６】
また、上記各実施例においては具体的な数値を例示して説明したが、これはあくまで例示であり、これら具体的な数値は本実施形態の適用範囲を限定する趣旨ではない。【０２４７】
なお、本発明は上記実施の形態に限られたものではなく、趣旨を逸脱しない範囲で適宜変更することが可能である。【０２４８】
また、上記の無線パラメータ制御装置及び無線パラメータ制御システムは、それぞれハードウェア、ソフトウェア又はこれらの組合わせにより実現することができる。また、上記の無線パラメータ制御装置及び無線パラメータ制御システムによりそれぞれ行なわれる無線パラメータ制御方法も、ハードウェア、ソフトウェア又はこれらの組合わせにより実現することができる。ここで、ソフトウェアによって実現されるとは、コンピュータがプログラムを読み込んで実行することにより実現されることを意味する。【０２４９】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。【０２５０】
上記の実施形態の一部又は全部は、以下の付記のようにも記載されうるが、以下には限られない。【０２５１】
（付記１）  セル・グループに対する無線パラメータを制御する無線パラメータ制御装置であって、
前記セル・グループ内の１つ以上の制御対象セルに含まれる各着目セルについて、前記セル・グループ内の他のセルの無線パラメータの値に対する制御による影響を考慮しつつ、該着目セルの無線パラメータの変更による、前記セル・グループでの通信特性の変化を予測する予測手段と、
前記予測手段による予測に基づき、前記セル・グループ内の１つ以上の前記制御対象セルの無線パラメータの値を制御する制御手段と、
を備えることを特徴とする無線パラメータ制御装置。【０２５２】
（付記２）
付記１に記載の無線パラメータ制御装置であって、
前記予測手段は、複数の前記着目セルについての前記予測をし、
前記制御手段は、前記予測手段による複数の前記着目セルについての前記予測に基づき、前記複数の着目セルの無線パラメータの値を制御することを特徴とする無線パラメータ制御装置。【０２５３】
（付記３)
付記１又は２に記載の無線パラメータ制御装置であって、
前記予測手段は、複数の前記着目セルに対する無線パラメータの値の変更候補の所定の範囲の全ての組み合わせに対して、前記セル・グループでの通信特性の変化を予測し、
前記制御手段は、前記通信特性を最良とする無線パラメータの値の変更候補を変更後の無線パラメータの値として決定することを特徴とする無線パラメータ制御装置。【０２５４】
（付記４)
付記１に記載の無線パラメータ制御装置であって、
前記予測手段は、複数の前記着目セルを１つずつ順々に着目し、順々に着目した着目セルの無線パラメータの変更による、前記セル・グループでの通信特性の変化を予測し、
前記制御手段は、順々に着目した着目セルの無線パラメータの値を前記予測に基づいて決定し、
前記予測手段は、現在着目している着目セルの無線パラメータの変化による通信特性の変化を予測する際には、前記制御手段により無線パラメータが既に決定されているセルについては、その決定されている無線パラメータの値を用いることを特徴とする無線パラメータ制御装置。【０２５５】
（付記５)
付記１に記載の無線パラメータ制御装置であって、
前記予測手段は、複数の前記着目セルを１つずつ順々に着目し、順々に着目した着目セルの無線パラメータの変更による、前記セル・グループでの通信特性の変化を予測し、
前記制御手段は、順々に着目した着目セルの無線パラメータの値を前記予測に基づいて仮決定し、
前記予測手段は、現在着目している着目セルの無線パラメータの変化による通信特性の変化を予測する際には、前記制御手段により無線パラメータが既に仮決定されているセルについては、その決定されている無線パラメータの値を用い、
所定の条件が満たされるまで、前記予測と該予測に基づく前記仮決定とを繰り返し、繰り返し終了時に仮決定されている無線パラメータを変更後の無線パラメータとして決定することを特徴とする無線パラメータ制御装置。【０２５６】
（付記６）
付記１又は２に記載の無線パラメータ制御装置であって、
前記予測手段は、複数の方法で、複数の前記着目セルに着目し、前記複数の方法にそれぞれ対応する複数の通信特性の変化を予測し、
前記制御手段は、前記予測手段による、前記複数の方法にそれぞれ対応する複数の通信特性の変化に基づき、前記複数の着目セルの無線パラメータの値を制御することを特徴とする無線パラメータ制御装置。【０２５７】
（付記７）  付記１乃至６の何れか１に記載の無線パラメータ制御装置であって、
制御により決定された無線パラメータを、対応する無線基地局に同時に設定する手段を更に備えることを特徴とする無線パラメータ制御装置。【０２５８】
（付記８)
付記１に記載の無線パラメータ制御装置であって、
前記予測手段は、１つの前記着目セルについての前記予測をし、
前記制御手段は、前記予測手段による予測に基づき、前記１つの着目セルの無線パラメータの値を仮決定し、
当該無線パラメータ制御装置は、
前記制御手段により値が仮決定された無線パラメータを、対応する無線基地局に設定する設定手段と、
前記設定手段により無線パラメータが設定された後の無線品質情報及び／又は通信品質情報を測定する測定手段と、
を更に備え、
前記予測手段と前記制御手段と前記設定手段と前記測定手段とは繰り返し動作し、各繰り返しにおいて、前記予測手段は、前回の繰り返しで前記測定手段により測定された無線品質情報及び／又は通信品質情報を用いて前記通信特性の変化を予測することを特徴とする無線パラメータ制御装置。【０２５９】
（付記９）  付記１乃至８の何れか１に記載の無線パラメータ制御装置であって、
前記通信特性は、トラフィック負荷、リソース利用率、実効的なスケジューリングユーザ数、ユーザスループット、セルスループット、受信品質(ＲＳＲＰ，ＲＳＲＱ，ＳＩＮＲ)の少なくとも１つを含むことを特徴とする無線パラメータ制御装置。【０２６０】
（付記１０）  セル・グループに対する無線パラメータを制御する無線パラメータ制御方法であって、
前記セル・グループ内の１つ以上の制御対象セルに含まれる各着目セルについて、前記セル・グループ内の他のセルの無線パラメータの値に対する制御による影響を考慮しつつ、該着目セルの無線パラメータの変更による、前記セル・グループでの通信特性の変化を予測する予測ステップと、
前記予測ステップによる予測に基づき、前記セル・グループ内の１つ以上の前記制御対象セルの無線パラメータの値を制御する制御ステップと、
を備えることを特徴とする無線パラメータ制御方法。【０２６１】
（付記１１）  付記１０に記載の無線パラメータ制御方法であって、
前記予測ステップでは、複数の前記着目セルについての前記予測をし、
前記制御ステップでは、前記予測ステップによる複数の前記着目セルについての前記予測に基づき、前記複数の着目セルの無線パラメータの値を制御することを特徴とする無線パラメータ制御方法。【０２６２】
（付記１２）  付記１０又は１１に記載の無線パラメータ制御方法であって、
前記予測ステップでは、複数の前記着目セルに対する無線パラメータの値の変更候補の所定の範囲の全ての組み合わせに対して、前記セル・グループでの通信特性の変化を予測し、
前記制御ステップでは、前記通信特性を最良とする無線パラメータの値の変更候補を変更後の無線パラメータの値として決定することを特徴とする無線パラメータ制御方法。【０２６３】
（付記１３）  付記１０に記載の無線パラメータ制御方法であって、
前記予測ステップでは、複数の前記着目セルを１つずつ順々に着目し、順々に着目した着目セルの無線パラメータの変更による、前記セル・グループでの通信特性の変化を予測し、
前記制御ステップでは、順々に着目した着目セルの無線パラメータの値を前記予測に基づいて決定し、
前記予測ステップでは、現在着目している着目セルの無線パラメータの変化による通信特性の変化を予測する際には、前記制御ステップにより無線パラメータが既に決定されているセルについては、その決定されている無線パラメータの値を用いることを特徴とする無線パラメータ制御方法。【０２６４】
（付記１４）  付記１０に記載の無線パラメータ制御方法であって、
前記予測ステップでは、複数の前記着目セルを１つずつ順々に着目し、順々に着目した着目セルの無線パラメータの変更による、前記セル・グループでの通信特性の変化を予測し、
前記制御ステップでは、順々に着目した着目セルの無線パラメータの値を前記予測に基づいて仮決定し、
前記予測ステップでは、現在着目している着目セルの無線パラメータの変化による通信特性の変化を予測する際には、前記制御ステップにより無線パラメータが既に仮決定されているセルについては、その決定されている無線パラメータの値を用い、
所定の条件が満たされるまで、前記予測と該予測に基づく前記仮決定とを繰り返し、繰り返し終了時に仮決定されている無線パラメータを変更後の無線パラメータとして決定することを特徴とする無線パラメータ制御方法。【０２６５】
（付記１５）  付記１０又は１１に記載の無線パラメータ制御方法であって、
前記予測ステップでは、複数の方法で、複数の前記着目セルに着目し、前記複数の方法にそれぞれ対応する複数の通信特性の変化を予測し、
前記制御ステップでは、前記予測ステップによる、前記複数の方法にそれぞれ対応する複数の通信特性の変化に基づき、前記複数の着目セルの無線パラメータの値を制御することを特徴とする無線パラメータ制御方法。【０２６６】
（付記１６）  付記１０乃至１５の何れか１に記載の無線パラメータ制御方法であって、
制御により決定された無線パラメータを、対応する無線基地局に同時に設定するステップを更に備えることを特徴とする無線パラメータ制御方法。【０２６７】
（付記１７）  付記１０に記載の無線パラメータ制御方法であって、
前記予測ステップでは、１つの前記着目セルについての前記予測をし、
前記制御ステップでは、前記予測ステップによる予測に基づき、前記１つの着目セルの無線パラメータの値を仮決定し、
当該無線パラメータ制御方法は、
前記制御ステップにより値が仮決定された無線パラメータを、対応する無線基地局に設定する設定ステップと、
前記設定ステップにより無線パラメータが設定された後の無線品質情報及び／又は通信品質情報を測定する測定ステップと、
を更に備え、
前記予測ステップと前記制御ステップと前記設定ステップと前記測定ステップとを繰り返し行い、各繰り返しにおいて、前記予測ステップでは、前回の繰り返しで前記測定ステップにより測定された無線品質情報及び／又は通信品質情報を用いて前記通信特性の変化を予測することを特徴とする無線パラメータ制御方法。【０２６８】
（付記１８）  付記１０乃至１７の何れか１に記載の無線パラメータ制御方法であって、
前記通信特性は、トラフィック負荷、リソース利用率、実効的なスケジューリングユーザ数、ユーザスループット、セルスループット、受信品質(ＲＳＲＰ，ＲＳＲＱ，ＳＩＮＲ)の少なくとも１つを含むことを特徴とする無線パラメータ制御方法。【０２６９】
（付記１９）  セル・グループに対する無線パラメータを制御する無線パラメータ制御装置としてコンピュータを機能させるための無線パラメータ制御プログラムであって、
前記コンピュータを、
前記セル・グループ内の１つ以上の制御対象セルに含まれる各着目セルについて、前記セル・グループ内の他のセルの無線パラメータの値に対する制御による影響を考慮しつつ、該着目セルの無線パラメータの変更による、前記セル・グループでの通信特性の変化を予測する予測手段と、
前記予測手段による予測に基づき、前記セル・グループ内の１つ以上の前記制御対象セルの無線パラメータの値を制御する制御手段と、
を備える無線パラメータ制御装置として機能させることを特徴とする無線パラメータ制御プログラム。【０２７０】
（付記２０）  付記１９に記載の無線パラメータ制御プログラムであって、
前記予測手段は、複数の前記着目セルについての前記予測をし、
前記制御手段は、前記予測手段による複数の前記着目セルについての前記予測に基づき、前記複数の着目セルの無線パラメータの値を制御する無線パラメータ制御装置として更に前記コンピュータを機能させることを特徴とする無線パラメータ制御プログラム。【０２７１】
（付記２１）  付記１９又は２０に記載の無線パラメータ制御プログラムであって、
前記予測手段は、複数の前記着目セルに対する無線パラメータの値の変更候補の所定の範囲の全ての組み合わせに対して、前記セル・グループでの通信特性の変化を予測し、
前記制御手段は、前記通信特性を最良とする無線パラメータの値の変更候補を変更後の無線パラメータの値として決定する無線パラメータ制御装置として更に前記コンピュータを機能させることを特徴とする無線パラメータ制御プログラム。【０２７２】
（付記２２）  付記１９に記載の無線パラメータ制御プログラムであって、
前記予測手段は、複数の前記着目セルを１つずつ順々に着目し、順々に着目した着目セルの無線パラメータの変更による、前記セル・グループでの通信特性の変化を予測し、
前記制御手段は、順々に着目した着目セルの無線パラメータの値を前記予測に基づいて決定し、
前記予測手段は、現在着目している着目セルの無線パラメータの変化による通信特性の変化を予測する際には、前記制御手段により無線パラメータが既に決定されているセルについては、その決定されている無線パラメータの値を用いる無線パラメータ制御装置として更に前記コンピュータを機能させることを特徴とする無線パラメータ制御プログラム。【０２７３】
（付記２３）  付記１９に記載の無線パラメータ制御プログラムであって、
前記予測手段は、複数の前記着目セルを１つずつ順々に着目し、順々に着目した着目セルの無線パラメータの変更による、前記セル・グループでの通信特性の変化を予測し、
前記制御手段は、順々に着目した着目セルの無線パラメータの値を前記予測に基づいて仮決定し、
前記予測手段は、現在着目している着目セルの無線パラメータの変化による通信特性の変化を予測する際には、前記制御手段により無線パラメータが既に仮決定されているセルについては、その決定されている無線パラメータの値を用い、
所定の条件が満たされるまで、前記予測と該予測に基づく前記仮決定とを繰り返し、繰り返し終了時に仮決定されている無線パラメータを変更後の無線パラメータとして決定する無線パラメータ制御装置として更に前記コンピュータを機能させることを特徴とする無線パラメータ制御プログラム。【０２７４】
（付記２４）  付記１９又は２０に記載の無線パラメータ制御プログラムであって、
前記予測手段は、複数の方法で、複数の前記着目セルに着目し、前記複数の方法にそれぞれ対応する複数の通信特性の変化を予測し、
前記制御手段は、前記予測手段による、前記複数の方法にそれぞれ対応する複数の通信特性の変化に基づき、前記複数の着目セルの無線パラメータの値を制御する無線パラメータ制御装置として更に前記コンピュータを機能させることを特徴とする無線パラメータ制御プログラム。【０２７５】
（付記２５）  付記１９乃至２４の何れか１に記載の無線パラメータ制御プログラムであって、
制御により決定された無線パラメータを、対応する無線基地局に同時に設定する手段を更に備える無線パラメータ制御装置として更に前記コンピュータを機能させることを特徴とする無線パラメータ制御プログラム。【０２７６】
（付記２６）  付記１９に記載の無線パラメータ制御プログラムであって、
前記予測手段は、１つの前記着目セルについての前記予測をし、
前記制御手段は、前記予測手段による予測に基づき、前記１つの着目セルの無線パラメータの値を仮決定し、
前記無線パラメータ制御装置は、
前記制御手段により値が仮決定された無線パラメータを、対応する無線基地局に設定する設定手段と、
前記設定手段により無線パラメータが設定された後の無線品質情報及び／又は通信品質情報を測定する測定手段と、
を更に備え、
前記予測手段と前記制御手段と前記設定手段と前記測定手段とは繰り返し動作し、各繰り返しにおいて、前記予測手段は、前回の繰り返しで前記測定手段により測定された無線品質情報及び／又は通信品質情報を用いて前記通信特性の変化を予測する無線パラメータ制御装置として更に前記コンピュータを機能させることを特徴とする無線パラメータ制御プログラム。【０２７７】
（付記２７）  付記１９乃至２６の何れか１に記載の無線パラメータ制御プログラムであって、
前記通信特性は、トラフィック負荷、リソース利用率、実効的なスケジューリングユーザ数、ユーザスループット、セルスループット、受信品質(ＲＳＲＰ，ＲＳＲＱ，ＳＩＮＲ)の少なくとも１つを含む無線パラメータ制御装置として更に前記コンピュータを機能させることを特徴とする無線パラメータ制御プログラム。【０２７８】
（付記２８）  端末と無線通信を行う基地局と、前記基地局と接続された無線パラメータ制御装置と、を備えた無線パラメータ制御システムであって、
前記基地局は、
前記端末との通信に基づいて測定した無線通信に関する品質を前記基地局に報告する報告手段と、
前記無線パラメータ制御装置の変更値の指示に応じて基地局配下のセルについての無線パラメータを変更する変更手段と、を備え、
前記無線パラメータ制御装置は付記１乃至９の何れか１に記載の無線パラメータ制御装置であって、前記報告手段による報告内容に基づいて前記予測手段及び前記制御手段を動作させると共に、前記制御手段により決定された無線パラメータの変更値に基づいて無線パラメータを変更するように前記基地局に指示を出す、
ことを特徴とする無線パラメータ制御システム。【０２７９】
（付記２９）  端末と無線通信を行う基地局と、前記基地局と接続された無線パラメータ制御装置と、を備えたシステムが行う無線パラメータ制御方法であって、
前記基地局が、前記端末との通信に基づいて測定した無線通信に関する品質を前記基地局に報告する報告ステップと、
前記無線パラメータ制御装置が付記１０乃至１８の何れか１に記載の無線パラメータ制御方法を行う装置であって、前記報告ステップによる報告内容に基づいて前記予測ステップ及び前記制御ステップを行うと共に、前記制御ステップにより決定された無線パラメータの変更値に基づいて無線パラメータを変更するように前記基地局に指示を出すステップと、
前記基地局が、前記無線パラメータ制御装置の変更値の指示に応じて基地局配下のセルについての無線パラメータを変更する変更ステップと、
を有することを特徴とする無線パラメータ制御方法。【０２８０】
この出願は、２０１２年１２月２７日に出願された日本出願特願２０１２−２８４８１８を基礎とする優先権を主張し、その開示の全てをここに取り込む。
【産業上の利用可能性】
【０２８１】
本発明はセルラ方式に準拠した無線通信網であれば、その用途や、変更するパラメータの内容等を問わずに適用することが可能である。
【符号の説明】
【０２８２】
１０  無線パラメータ制御装置
１１  品質情報記憶部
１２  影響セル決定部
１３  通信特性予測部
１４  無線パラメータ決定部
２０、２０−１、２０−２、２０−３、１０００  基地局
２１  通信部
２２  通信品質測定部
２３  品質管理部
２４  無線パラメータ調整部
３０、３１、３２、３３、１００１、２００１、２００２、３００１、３００２  セル
４０  ＵＥ
４１  通信部
４２  無線品質測定部
２０００、３０００  小型基地局
【図１】
2014103434.tif 000003
【図２】
2014103434.tif 000004
【図３】
2014103434.tif 000005
【図４】
2014103434.tif 000006
【図５】
2014103434.tif 000007
【図６】
2014103434.tif 000008
【図７】
2014103434.tif 000009
【図８】
2014103434.tif 000010
【図９】
2014103434.tif 000011
【図１０】
2014103434.tif 000012
【図１１】
2014103434.tif 000013
【図１２】
2014103434.tif 000014
【図１３】
2014103434.tif 000015
【国際調査報告】
2014103434.tif 000016
2014103434.tif 000017
2014103434.tif 000018
2014103434.tif 000019